(57)【要約】  Localized送信およびDistributed送信の双方を用いる場合、Distributed送信でもLocalized送信と同等のチャネル推定精度を得ることができる無線通信装置。この装置において、設定部（１０８）は、参照信号の周波数領域での連続度に応じて、参照信号の時間領域における配置密度を設定することにより参照信号の電力密度を設定する。また、設定部（１０８）は、連続度が低いほど、参照信号の時間領域における配置密度をより高くする。送信ＲＦ部（１１１）は、設定部（１０８）で設定された電力密度を有する参照信号を送信する。
2010016240.tif 000002
【特許請求の範囲】
【請求項１】
参照信号の周波数領域での連続度に応じて、参照信号の電力密度を設定する設定手段と、
前記電力密度を有する参照信号を送信する送信手段と、を具備し、
前記設定手段は、前記連続度が低いほど前記電力密度をより高くする、
を具備する無線通信装置。
【請求項２】
前記設定手段は、
参照信号の時間領域における配置密度を設定することにより前記電力密度を設定し、
前記連続度が低いほど前記配置密度をより高くする、
請求項１記載の無線通信装置。
【請求項３】
前記設定手段は、
参照信号の送信電力を設定することにより前記電力密度を設定し、
前記連続度が低いほど前記送信電力をより大きくする、
請求項１記載の無線通信装置。
【請求項４】
前記設定手段は、
所定の周波数帯域における参照信号の送信帯域の割合を前記連続度として用い、
前記割合が小さいほど前記電力密度をより高くする、
請求項１記載の無線通信装置。
【請求項５】
前記設定手段は、
隣接する参照信号間の周波数間隔を前記連続度として用い、
前記周波数間隔が大きいほど前記電力密度をより高くする、
請求項１記載の無線通信装置。
【請求項６】
前記設定手段は、
前記連続度が１未満である時に、前記連続度が１である時よりも、前記電力密度を高くする、
請求項１記載の無線通信装置。
【請求項７】
前記連続度と前記電力密度との複数の対応付けからなる設定パターンを受信する受信手段、をさらに具備し、
前記設定手段は、前記設定パターンに基づいて前記電力密度を設定する、
請求項１記載の無線通信装置。
【請求項８】
参照信号の周波数領域での連続度に応じて、参照信号の電力密度を設定する電力密度設定方法において、
前記連続度が低いほど前記電力密度をより高くする、
電力密度設定方法。
【発明の詳細な説明】
【技術分野】
【０００１】
本発明は、無線通信装置および電力密度設定方法に関する。
【背景技術】
【０００２】
３ＧＰＰ  ＬＴＥ(3rd Generation Partnership Project Long-term Evolution)またはＬＴＥの発展形であるＬＴＥ−Ａｄｖａｎｃｅｄの上り回線では、ローカライズド（Localized）送信およびディストリビューテッド（Distributed）送信の双方を用いることが検討されている（非特許文献１参照）。すなわち、各無線通信端末装置（以下、単に端末という）から無線通信基地局装置（以下、単に基地局という）への通信において、Localized送信とDistributed送信とを切り替える。【０００３】
Localized送信は、データ信号および参照信号を連続する周波数帯域に割り当てて送信する方法である。例えば、図１Ａに示すように、Localized送信では、データ信号および参照信号は、連続する送信帯域に割り当てられる。Localized送信では、基地局が各端末での周波数帯域毎の受信品質に基づいて、各端末に対して連続する周波数帯域を割り当てるため、最大限のマルチユーザダイバーシチ効果、すなわち、周波数スケジューリング効果を得ることができる。【０００４】
一方、Distributed送信は、データ信号および参照信号を広い帯域に分散された非連続な周波数帯域に割り当てて送信する方法である。例えば、図１Ｂに示すように、Distributed送信では、データ信号および参照信号は、周波数帯域全体に分散された送信帯域に割り当てられる。Distributed送信では、１つの端末のデータ信号または参照信号のすべてがフェージングの谷にあたってしまう確率を減少させること、すなわち、周波数ダイバーシチ効果を得ることができ、受信特性の劣化を抑えることができる。【０００５】
また、ＬＴＥでは、端末は、図１Ａおよび図１Ｂに示すように、データ信号および参照信号を同一の送信帯域で送信する（非特許文献２参照）。そして、基地局は、参照信号を用いて各端末のデータ信号が割り当てられた送信帯域のチャネル推定値を推定し、推定したチャネル推定値を用いてデータ信号を復調する。
【先行技術文献】
【非特許文献】
【０００６】
【非特許文献１】R1-062513, "Performance comparison between LFDMA and DFDMA transmission in UL", 3GPP RAN WG1 #46bis meeting, Seoul, KOREA, OCT. 9-13 2006
【非特許文献２】3GPP TS 36.212 V8.1.0, "Multiplexing and channel coding(Release 8)," 2007-11
【発明の概要】
【発明が解決しようとする課題】
【０００７】
図１Ａに示すように、Localized送信では、１つの端末の参照信号が割り当てられる送信帯域すべてが連続するため、チャネル相関が高い。そのため、Localized送信では、高いフィルタリング効果を得ることができ、十分なチャネル推定精度が得られる。これに対し、図１Ｂに示すように、Distributed送信では、１つの端末の参照信号が割り当てられる送信帯域が不連続であるため、チャネル相関が低い。そのため、Distributed送信では、低いフィルタリング効果しか得られず、チャネル推定精度が低下してしまう。【０００８】
よって、Localized送信およびDistributed送信の双方を用いる場合、Distributed送信時には、Localized送信時よりもチャネル推定精度が劣化してしまう。すなわち、端末がDistributed送信を用いる場合には、Localized送信を用いる場合よりも低いチャネル推定精度しか得られなくなる。【０００９】
本発明の目的は、Localized送信およびDistributed送信の双方を用いる場合、Distributed送信でもLocalized送信に相当するチャネル推定精度を得ることができる無線通信装置および電力密度設定方法を提供することである。
【課題を解決するための手段】
【００１０】
本発明の無線通信装置は、参照信号の周波数領域での連続度に応じて、参照信号の電力密度を設定する設定手段と、前記電力密度を有する参照信号を送信する送信手段と、を具備し、前記設定手段は、前記連続度が低いほど前記電力密度をより高くする構成を採る。【００１１】
本発明の電力密度設定方法は、参照信号の周波数領域での連続度に応じて、参照信号の電力密度を設定する電力密度設定方法において、前記連続度が低いほど前記電力密度をより高くするようにした。
【発明の効果】
【００１２】
本発明によれば、Localized送信およびDistributed送信の双方を用いる場合、Distributed送信でもLocalized送信に相当するチャネル推定精度を得ることができる。
【図面の簡単な説明】
【００１３】
【図１Ａ】Localized送信時における参照信号の送信帯域を示す図
【図１Ｂ】Distributed送信時における参照信号の送信帯域を示す図
【図２】本発明の実施の形態１に係る端末の構成を示すブロック図
【図３】本発明の実施の形態１に係る基地局の構成を示すブロック図
【図４Ａ】本発明の実施の形態１に係る参照信号のマッピング処理を示す図（Localized送信の場合）
【図４Ｂ】本発明の実施の形態１に係る参照信号のマッピング処理を示す図（Distributed送信の場合）
【図５】本発明の実施の形態１に係る連続度と参照信号の配置密度との対応を示す図
【図６】本発明の実施の形態１に係るその他の参照信号のマッピング処理を示す図
【図７】本発明の実施の形態１に係る連続度と参照信号の配置密度との対応を示す図
【図８Ａ】本発明の実施の形態１に係る参照信号の配置密度の設定処理を示す図
【図８Ｂ】本発明の実施の形態１に係る参照信号の配置密度の設定処理を示す図
【図９Ａ】本発明の実施の形態２に係る参照信号の配置密度の設定処理を示す図
【図９Ｂ】本発明の実施の形態２に係る参照信号の配置密度の設定処理を示す図
【図１０】本発明の実施の形態３に係る１スロット内の各シンボルの送信電力を示す図
【図１１】本発明の実施の形態３に係る連続度と参照信号の送信電力との対応を示す図
【図１２】本発明の実施の形態３に係る連続度と参照信号の送信電力との対応を示す図
【図１３Ａ】本発明の実施の形態３に係る参照信号の送信電力の設定処理を示す図
【図１３Ｂ】本発明の実施の形態３に係る参照信号の送信電力の設定処理を示す図
【図１４Ａ】本発明の実施の形態４に係る参照信号の送信電力の設定処理を示す図
【図１４Ｂ】本発明の実施の形態４に係る参照信号の送信電力の設定処理を示す図
【図１５】本発明に係る複数の設定パターンを示す図（配置密度の場合）
【図１６】本発明に係る複数の設定パターンを示す図（送信電力の場合）
【発明を実施するための形態】
【００１４】
以下、本発明の実施の形態について、図面を参照して詳細に説明する。
【００１５】
以下の説明では、１つの端末に割り当てられる複数の送信帯域すべてが周波数領域で連続になるようにして送信する送信方法をLocalized送信とする。例えば、図１Ａに示すように、Localized送信では、連続する５サブキャリアに１つの端末のデータ信号および参照信号が割り当てられる。一方、１つの端末に割り当てられる複数の送信帯域のうち少なくとも１つが不連続になるようにして送信する送信方法をDistributed送信とする。例えば、図１Ｂに示すように、Distributed送信では、２サブキャリア間隔の不連続な５サブキャリアに１つの端末のデータ信号および参照信号が割り当てられる。
【００１６】
ここで、チャネル推定精度は、参照信号が割り当てられた各送信帯域におけるチャネル推定値の位相関係（すなわち、同相であるか異なる位相であるか）に影響を受ける。例えば、図１Ａに示すように、参照信号が割り当てられる送信帯域すべてが連続する場合（すなわち、Localized送信の場合）、チャネル相関が高くなるため、各送信帯域におけるチャネル推定値の位相が同相になる可能性が高くなる。よって、チャネル推定時には、各送信帯域におけるチャネル推定値がほぼ同相で加算されるため、高いフィルタリング効果を得ることができ、十分なチャネル推定精度が得られる。
【００１７】
これに対し、図１Ｂに示すように、参照信号が割り当てられる送信帯域が不連続になる場合（すなわち、Distributed送信の場合）、チャネル相関が低くなるため、各送信帯域におけるチャネル推定値の位相が異なる可能性が高くなる。よって、チャネル推定時には、各送信帯域におけるチャネル推定値は異なる位相で加算されるため、低いフィルタリング効果しか得られず、チャネル推定精度が低下する。
【００１８】
このように、参照信号が割り当てられる送信帯域が不連続になるほど、つまり、参照信号が割り当てられた各送信帯域の周波数領域における距離が離れるほど、各送信帯域におけるチャネル推定値の位相が異なる可能性がより高くなるため、チャネル推定精度がより低下する。換言すると、参照信号が割り当てられる送信帯域の連続度（つまり、参照信号の周波数領域での連続度）が低くなるほど、チャネル推定精度がより低下する。
【００１９】
そのため、参照信号の周波数領域での連続度が低いほど、参照信号の電力密度を高くすることによるチャネル推定精度の改善効果はより大きい。そこで、本発明では、端末は、参照信号の周波数領域での連続度が低いほど、参照信号の電力密度をより高く設定する。
【００２０】
（実施の形態１）
本実施の形態では、所定の周波数帯域における参照信号の送信帯域の割合を参照信号の周波数領域での連続度として用い、その割合が小さいほど参照信号の時間領域における配置密度をより高くする。
【００２１】
本実施の形態に係る端末１００の構成について、図２を用いて説明する。
【００２２】
図２に示す端末１００の受信ＲＦ部１０２は、アンテナ１０１を介して受信した信号にダウンコンバート、Ａ／Ｄ変換等の受信処理を施し、受信処理を施した信号を復調部１０３に出力する。
【００２３】
復調部１０３は、受信ＲＦ部１０２から入力される信号に等化処理および復調処理を施し、これらの処理を施した信号を復号部１０４に出力する。
【００２４】
復号部１０４は、復調部１０３から入力される信号に復号処理を施し、受信データおよび制御情報を抽出する。
【００２５】
符号化部１０５は、送信データを符号化し、符号化データを変調部１０６に出力する。
【００２６】
変調部１０６は、符号化部１０５から入力される符号化データを変調し、変調後のデータ信号をＦＦＴ（Fast Fourier Transform）部１０７に出力する。
【００２７】
ＦＦＴ部１０７は、変調部１０６から入力されるデータ信号にＦＦＴ処理を施す。そして、ＦＦＴ部１０７は、ＦＦＴ処理を施したデータ信号をマッピング部１０９に出力する。
【００２８】
設定部１０８は、参照信号の周波数領域での連続度に応じて、参照信号の時間領域における配置密度を設定することにより参照信号の電力密度を設定する。ここでは、所定の周波数帯域における参照信号の送信帯域の割合を連続度とする。また、例えば、参照信号の１サブキャリアおよび１スロット（７シンボル）における配置数の割合を参照信号の時間領域における配置密度とする。そして、設定部１０８は、所定の周波数帯域における参照信号の送信帯域の割合が小さいほど（連続度が低いほど）、参照信号の時間領域における配置密度をより高くする。つまり、設定部１０８は、参照信号の周波数領域での連続度が低いほど、参照信号の電力密度をより高くする。換言すると、設定部１０８は、所定の周波数帯域における参照信号の送信帯域の割合が小さいほど（連続度が低いほど）、所定の時間領域（例えば、１スロット）における参照信号の数をより多くする。そして、設定部１０８は、設定した参照信号の配置密度をマッピング部１０９に出力する。
【００２９】
マッピング部１０９は、設定部１０８から入力される参照信号の配置密度に従って、ＦＦＴ部１０７から入力されるデータ信号、および、参照信号を周波数領域および時間領域のリソースにマッピングする。例えば、マッピング部１０９は、設定部１０８から入力される参照信号の配置密度に対応する、データ信号および参照信号のマッピングパターンを保持し、参照信号の配置密度に応じてデータ信号および参照信号をマッピングする。そして、マッピング部１０９は、データ信号および参照信号がマッピングされた信号をＩＦＦＴ（Inverse Fast Fourier Transform）部１１０に出力する。
【００３０】
ＩＦＦＴ部１１０は、マッピング部１０９から入力される信号にＩＦＦＴ処理を施す。そして、ＩＦＦＴ部１１０は、ＩＦＦＴ処理を施した信号を送信ＲＦ部１１１に出力する。
【００３１】
送信ＲＦ部１１１は、ＩＦＦＴ部１１０から入力される信号にＤ／Ａ変換、アップコンバート、増幅等の送信処理を施し、送信処理を施した信号をアンテナ１０１から基地局１５０へ無線送信する。これにより、送信ＲＦ部１１１は、設定部１０８で設定された電力密度を有する参照信号を送信する。
【００３２】
次に、本実施の形態に係る基地局１５０の構成について、図３を用いて説明する。
【００３３】
図３に示す基地局１５０の符号化部１５１は、送信データおよび制御信号を符号化し、符号化データを変調部１５２に出力する。
【００３４】
変調部１５２は、符号化部１５１から入力される符号化データを変調し、変調後の信号を送信ＲＦ部１５３に出力する。
【００３５】
送信ＲＦ部１５３は、変調部１５２から入力される信号にＤ／Ａ変換、アップコンバート、増幅等の送信処理を施し、送信処理を施した信号をアンテナ１５４から無線送信する。
【００３６】
受信ＲＦ部１５５は、アンテナ１５４を介して受信した信号にダウンコンバート、Ａ／Ｄ変換等の受信処理を施し、受信処理を施した信号をＤＦＴ（Discrete Fourier transform）部１５６に出力する。
【００３７】
ＤＦＴ部１５６は、受信ＲＦ部１５５から入力される信号にＤＦＴ処理を施し、時間領域から周波数領域の信号に変換する。そして、ＤＦＴ部１５６は、周波数領域の信号をデマッピング部１５８に出力する。
【００３８】
設定部１５７は、設定部１０８（図２）と同様にして、参照信号の周波数領域での連続度に応じて、参照信号の時間領域における配置密度を設定する。ここで、設定部１５７は、所定の周波数帯域における参照信号の送信帯域の割合（連続度）が小さいほど参照信号の配置密度を高くする。そして、設定部１５７は、設定した参照信号の配置密度をデマッピング部１５８に出力する。
【００３９】
デマッピング部１５８は、設定部１５７から入力される参照信号の配置密度に従って、ＤＦＴ部１５６から入力される周波数領域の信号からデータ信号および参照信号を抽出する。例えば、デマッピング部１５８は、設定部１５７から入力される参照信号の配置密度に対応する、データ信号および参照信号のマッピングパターンを保持し、参照信号の配置密度に応じてデータ信号および参照信号を抽出する。そして、デマッピング部１５８は、抽出したデータ信号を周波数領域等化部１６４に出力し、参照信号を伝搬路推定部１５９の除算部１６０に出力する。
【００４０】
伝搬路推定部１５９は、除算部１６０、ＩＦＦＴ部１６１、マスク処理部１６２、ＤＦＴ部１６３を備え、デマッピング部１５８から入力される参照信号に基づいて、伝搬路を推定する。以下、伝搬路推定部１５９の内部構成について具体的に説明する。
【００４１】
除算部１６０は、デマッピング部１５８から入力される参照信号を、予め設定された参照信号で除算する。そして、除算部１６０は、除算結果（相関値）をＩＦＦＴ部１６１に出力する。
【００４２】
ＩＦＦＴ部１６１は、除算部１６０から入力される信号にＩＦＦＴ処理を施す。そして、ＩＦＦＴ部１６１は、ＩＦＦＴ処理を施した信号をマスク処理部１６２に出力する。
【００４３】
抽出手段としてのマスク処理部１６２は、入力される巡回シフト量に基づいて、ＩＦＦＴ部１６１から入力される信号にマスク処理を施すことにより、所望の巡回シフト系列の相関値が存在する区間（検出窓）の相関値を抽出する。そして、マスク処理部１６２は、抽出した相関値をＤＦＴ部１６３に出力する。
【００４４】
ＤＦＴ部１６３は、マスク処理部１６２から入力される相関値にＤＦＴ処理を施す。そして、ＤＦＴ部１６３は、ＤＦＴ処理を施した相関値を周波数領域等化部１６４に出力する。なお、ＤＦＴ部１６３から出力される信号は、伝搬路の周波数変動（伝搬路の周波数応答）を表すものである。
【００４５】
周波数領域等化部１６４は、伝搬路推定部１５９のＤＦＴ部１６３から入力される信号（伝搬路の周波数応答）を用いて、デマッピング部１５８から入力されるデータ信号に等化処理を施す。そして、周波数領域等化部１６４は、等化処理を施した信号をＩＦＦＴ部１６５に出力する。
【００４６】
ＩＦＦＴ部１６５は、周波数領域等化部１６４から入力されるデータ信号にＩＦＦＴ処理を施す。そして、ＩＦＦＴ部１６５は、ＩＦＦＴ処理を施した信号を復調部１６６に出力する。
【００４７】
復調部１６６は、ＩＦＦＴ部１６５から入力される信号に復調処理を施し、復調処理を施した信号を復号部１６７に出力する。
【００４８】
復号部１６７は、復調部１６６から入力される信号に復号処理を施し、受信データを抽出する。
【００４９】
次に、本実施の形態における端末１００の設定部１０８（図２）および基地局１５０の設定部１５７（図３）における参照信号の時間領域における配置密度の設定例について説明する。
【００５０】
以下の説明では、１スロットは７つのシンボルから構成される。また、参照信号の配置密度は、参照信号の１スロット内の７シンボルにおける配置数の割合で表される。例えば、７シンボルのうち、６シンボルがデータ信号であり、１シンボルが参照信号である場合、参照信号の配置密度を１／７とする。また、例えば、７シンボルのうち、５シンボルがデータ信号であり、２シンボルが参照信号である場合、参照信号の配置密度を２／７とする。
【００５１】
＜設定例１−１＞
本設定例では、設定部１０８および設定部１５７は、参照信号の周波数領域での連続度が１未満である時に、参照信号の周波数領域での連続度が１である時よりも、参照信号の時間領域における配置密度を高くする。
【００５２】
以下の説明では、自端末の参照信号が割り当てられる周波数領域全体（すなわち、自端末の参照信号が割り当てられる両端の送信帯域の周波数間隔）を所定の周波数帯域とする。例えば、図４Ａに示すように、端末１００の信号（データ信号および参照信号）がLocalized送信される場合、所定の周波数帯域（Ａ）は、５サブキャリアであり、参照信号の送信帯域（Ｂ）も５サブキャリアである。よって、所定の周波数帯域（Ａ）における参照信号の送信帯域（Ｂ）の割合Ｂ／Ａ（連続度）は１（＝５／５）となる。すなわち、Localized送信時における連続度（割合Ｂ／Ａ）は最大値１となる。
【００５３】
一方、図４Ｂに示すように、端末１００の信号（データ信号および参照信号）がDistributed送信される場合、所定の周波数帯域（Ａ）は、１３サブキャリアであり、参照信号の送信帯域（Ｂ）は５サブキャリアである。よって、所定の周波数帯域（Ａ）における参照信号の送信帯域（Ｂ）の割合Ｂ／Ａ（連続度）は５／１３）となる。すなわち、Distributed送信時における連続度（割合Ｂ／Ａ）は１未満となる。
【００５４】
よって、設定部１０８および設定部１５７は、連続度（割合Ｂ／Ａ）が１未満であるDistributed送信時に、連続度（割合Ｂ／Ａ）が最大値１であるLocalized送信時よりも、参照信号の時間領域における配置密度を高くする。
【００５５】
例えば、図５に示すように、連続度（割合Ｂ／Ａ）が１であるLocalized送信時では、設定部１０８および設定部１５７は、参照信号の時間領域における配置密度をＸに設定する。一方、連続度（割合Ｂ／Ａ）が１未満であるDistributed送信時では、設定部１０８および設定部１５７は、参照信号の時間領域における配置密度をＸより値が大きいＹに設定する。ここで、例えば、参照信号の時間領域における配置密度Ｘを上記従来技術と同様、１／７とし、参照信号の時間領域における配置密度ＹをＸ＝１／７よりも大きい２／７としてもよい。
【００５６】
次に、端末１００のマッピング部１０９（図２）における参照信号のマッピング処理について説明する。ここでは、図５に示す参照信号の時間領域における配置密度Ｘを１／７とし、参照信号の時間領域における配置密度Ｙを２／７とする。
【００５７】
すなわち、連続度が１（Localized送信）の場合、参照信号の時間領域における配置密度Ｘは１／７であるので、マッピング部１０９は、図４Ａに示すように、１スロット（７シンボル）のうち１シンボルに参照信号をマッピングする。これに対し、連続度が１未満（Distributed送信）の場合、参照信号の時間領域における配置密度Ｙは２／７であるので、マッピング部１０９は、図４Ｂに示すように、１スロット（７シンボル）のうち２シンボルに参照信号をマッピングする。これにより、端末１００では、連続度が１未満であるDistributed送信時では、連続度が１であるLocalized送信時よりも、参照信号の電力密度が高くなる。
【００５８】
このようにして、端末１００は、連続度が１未満（Distributed送信）である時に、連続度が１（Localized送信）である時よりも、参照信号の時間領域における配置密度を高くする。これにより、Distributed送信では、連続度が低く、参照信号が割り当てられた各送信帯域のチャネル相関が低い場合でも、参照信号の電力密度を高くすることにより、チャネル推定精度を向上させることができる。換言すると、Distributed送信では、参照信号の電力密度を高くすることにより、周波数領域での低いチャネル相関によるチャネル推定精度の劣化を補償することができる。一方、Localized送信では、参照信号の電力密度が低い場合でも、参照信号が割り当てられた各送信帯域のチャネル相関が高いため、十分なチャネル推定精度を得ることができる。よって、Localized送信では、参照信号の配置密度を低くすることにより、参照信号のオーバヘッドを抑えることができる。
【００５９】
このように、本設定例によれば、端末は、参照信号の周波数領域での連続度に応じて、参照信号の時間領域における配置密度を設定することにより参照信号の電力密度を設定する。これにより、連続度が１未満であるDistributed送信時には、参照信号の時間領域における配置密度を高くすることでチャネル推定精度を向上させることができる。よって、本設定例によれば、Localized送信およびDistributed送信の双方を用いる場合、Distributed送信でもLocalized送信に相当するチャネル推定精度を得ることができる。つまり、送信方法がLocalized送信およびDistributed送信のいずれの場合でも、十分なチャネル推定精度を得ることができる。
【００６０】
さらに、本設定例では、端末は、連続度が１であるLocalized送信時には、参照信号の時間領域における配置密度を増加しないため、参照信号のオーバヘッドを抑えることができる。
【００６１】
なお、本設定例では、設定部１０８および設定部１５７は、図５に示すように、連続度が１の場合の参照信号の時間領域における配置密度をＸに設定し、連続度が１未満の場合の参照信号の時間領域における配置密度をＹに設定する場合について説明した。しかし、本発明では、例えば、設定部１０８および設定部１５７は、連続度が所定の閾値以上の場合の参照信号の時間領域における配置密度を図５に示すＸに設定し、連続度が所定の閾値未満の場合の参照信号の時間領域における配置密度を図５に示すＹに設定してもよい。
【００６２】
また、本設定例では、マッピング部１０９は、参照信号の時間領域における配置密度を高くする際、図５に示すように、参照信号が割り当てられるすべての送信帯域において同一シンボルに参照信号をマッピングする場合（シンボル単位のマッピング）について説明した。しかし、本発明では、マッピング部１０９は、例えば、図６に示すようにサブキャリア毎に異なるシンボルに参照信号をマッピングするサブキャリア単位のマッピングを行ってもよい。すなわち、同一シンボルでは、異なる送信帯域にデータ信号または参照信号がマッピングされる。
【００６３】
＜設定例１−２＞
本設定例では、さらに、設定部１０８および設定部１５７は、参照信号の周波数領域での連続度（割合Ｂ／Ａ）が低いほど参照信号の時間領域における配置密度をより高くする。
【００６４】
例えば、図７に示すように、連続度（割合Ｂ／Ａ）が１である場合、設定部１０８および設定部１５７は、設定例１−１と同様、参照信号の時間領域における配置密度をＸ（例えば、Ｘ＝１／７）に設定する。
【００６５】
一方、連続度（割合Ｂ／Ａ）が１未満である場合、設定部１０８および設定部１５７は、設定例１−１と同様、連続度（割合Ｂ／Ａ）が１である場合よりも参照信号の時間領域における配置密度を高く設定する。例えば、連続度（割合Ｂ／Ａ）が１未満である場合、設定部１０８および設定部１５７は、図７に示すように、参照信号の時間領域における配置密度Ｘよりも高い配置密度Ｙ、または、Ｙ以上の配置密度Ｚを設定する。ここで、設定部１０８および設定部１５７は、連続度（割合Ｂ／Ａ）が低いほど、参照信号の時間領域における配置密度をより高くする。例えば、図７に示すように、１未満の連続度（割合Ｂ／Ａ）のうち、連続度（割合Ｂ／Ａ）が高いほど参照信号の時間領域における配置密度をＹ（例えば、Ｙ＝２／７）に近い値に設定する。また、設定部１０８および設定部１５７は、連続度（割合Ｂ／Ａ）が低いほど参照信号の時間領域における配置密度をＺ（例えば、Ｚ＝３／７）に近い値に設定する。すなわち、連続度（割合Ｂ／Ａ）が１未満の場合、設定部１０８および設定部１５７は、連続度（割合Ｂ／Ａ）に応じて参照信号の時間領域における配置密度をＹ〜Ｚの間のいずれかに設定する。
【００６６】
このように、端末１００は、設定例１−１と同様、連続度（割合Ｂ／Ａ）が１未満（Distributed送信）である時に、連続度が１（Localized送信）である時よりも、参照信号の時間領域における配置密度を高くする。さらに、端末１００は、連続度（割合Ｂ／Ａ）が１未満（Distributed送信）である時には、連続度（割合Ｂ／Ａ）が低いほど、参照信号の時間領域における配置密度をより高くする。これにより、端末１００は、連続度（割合Ｂ／Ａ）が１未満であるDistributed送信時には、連続度（割合Ｂ／Ａ）に応じて参照信号の時間領域における配置密度を設定例１−１よりも細かく設定することができる。すなわち、端末１００では、参照信号の時間領域における配置密度を連続度（割合Ｂ／Ａ）に応じて細かく設定できるため、参照信号の時間領域における配置密度の増加を必要最小限に抑えることができる。
【００６７】
このようにして、本設定例によれば、連続度が１未満であるDistributed送信時における参照信号のオーバヘッドを最小限に抑えつつ、チャネル推定精度を向上させることができる。
【００６８】
＜設定例１−３＞
設定例１−１および設定例１−２では、自端末の参照信号が割り当てられる周波数領域全体を所定の周波数帯域とする場合について説明したが、本設定例では、参照信号の各送信帯域（サブキャリア）を中心とする所定範囲の周波数帯域を所定の周波数帯域とする場合について説明する。
【００６９】
すなわち、本実施の形態では、各送信帯域を中心とする所定範囲の周波数帯域における参照信号の送信帯域の割合を連続度として用いる。そして、例えば、設定部１０８および設定部１５７は、所定の周波数帯域における参照信号の送信帯域の割合（連続度）が閾値未満の場合、参照信号の時間領域における配置密度を高くし、所定の周波数帯域における参照信号の送信帯域の割合（連続度）が閾値以上の場合、参照信号の時間領域における配置密度を低くする。すなわち、設定部１０８および設定部１５７は、連続度が閾値未満の場合、参照信号の時間領域における数を増加させる一方、連続度が閾値以上の場合、参照信号の時間領域における数を増加しない。
【００７０】
以下、具体的に説明する。ここで、対象の送信帯域（例えば、図８Ａおよび図８Ｂに示す５サブキャリアのうち中央のサブキャリア）の前後２サブキャリアの４サブキャリアを所定範囲の周波数帯域、つまり、所定の周波数帯域とする。また、閾値を１／２とする。また、所定の周波数帯域における参照信号の送信帯域の割合（連続度）が閾値以上の場合の参照信号の時間領域における配置密度を１／７とし、所定の周波数帯域における参照信号の送信帯域の割合（連続度）が閾値未満の場合の参照信号の時間領域における配置密度を２／７とする。
【００７１】
図８Ａの場合、所定の周波数帯域（４サブキャリア）における参照信号の送信帯域（２サブキャリア）の割合（連続度）は１／２（＝２／４）となる。よって、設定部１０８および設定部１５７は、割合（連続度）が閾値以上であるため、参照信号の時間領域における配置密度を１／７に設定する。よって、マッピング部１０９は、対象の送信帯域（図８Ａに示す中央のサブキャリア）では、７シンボルのうち１シンボルに参照信号をマッピングする。
【００７２】
一方、図８Ｂの場合、所定の周波数帯域（４サブキャリア）における参照信号の送信帯域（０サブキャリア）の割合（連続度）は０（＝０／４）となる。よって、設定部１０８および設定部１５７は、割合（連続度）が閾値未満であるため、参照信号の時間領域における配置密度を２／７に設定する。よって、マッピング部１０９は、対象の送信帯域（図８Ｂに示す中央のサブキャリア）では、７シンボルのうち２シンボルに参照信号をマッピングする。
【００７３】
このように、設定部１０８および設定部１５７は、図８Ｂでは、図８Ａよりも、参照信号の時間領域における配置密度を高くする。これにより、図８Ａに示すように、所定の周波数帯域において参照信号の送信帯域が占有する割合が高い場合、対象の送信帯域および所定範囲の周波数帯域のチャネル相関が高くなるため、参照信号の時間領域における配置密度が低くても、十分なチャネル推定精度を得ることができる。これに対し、図８Ｂに示すように、所定の周波数帯域において参照信号の送信帯域が占有する割合が低い場合、対象の送信帯域および所定の周波数帯域のチャネル相関が低くなるものの、参照信号の時間領域における配置密度を高くすることにより、チャネル推定精度を向上させることができる。
【００７４】
このようにして、端末１００は、自端末の参照信号に割り当てられた送信帯域毎の連続度に応じて参照信号の時間領域における配置密度を設定する。これにより、連続度が高い送信帯域では、参照信号の時間領域における配置密度を低くすることで参照信号のオーバヘッドを抑えることができる。また、連続度が低い送信帯域では、参照信号の時間領域における配置密度を高くすることでチャネル推定精度を向上させることができる。
【００７５】
よって、本設定例によれば、各端末が参照信号の送信に用いる送信帯域の位置に基づいて、参照信号の時間領域における配置密度を送信帯域毎に細かく設定することができる。これにより、参照信号のオーバヘッドを最小限に抑えつつ、チャネル推定精度を向上させることができる。
【００７６】
以上、参照信号の時間領域における配置密度の設定例１−１〜１−３について説明した。
【００７７】
このように、本実施の形態によれば、端末は、参照信号の周波数領域での連続度が低いほど、参照信号の時間領域における配置密度（すなわち、参照信号の電力密度）を高く設定する。これにより、参照信号の時間領域における電力密度が高くなるため、周波数領域でのチャネル推定精度の劣化を補償することができる。よって、本実施の形態によれば、Localized送信およびDistributed送信の双方を用いる場合、Distributed送信でもLocalized送信に相当するチャネル推定精度を得ることができる。つまり、Localized送信およびDistributed送信の双方を用いる場合でも、双方の送信方法で十分なチャネル推定精度を得ることができる。
【００７８】
さらに、本実施の形態によれば、連続度が高いほど参照信号の時間領域における配置密度は低くなるため、参照信号のオーバヘッドを抑えることができる。
【００７９】
なお、本実施の形態では、参照信号の周波数領域での連続度が低いほど、参照信号の時間領域における配置密度をより高くするか否かを基地局が選択できるようにしてもよい。例えば、基地局は、連続度が高いLocalized送信では上記実施の形態と同様、配置密度１／７を設定する一方、連続度が低いDistributed送信では配置密度を高くするか（例えば、配置密度２／７）、配置密度を低くするか（例えば、配置密度１／７）を選択してもよい。
【００８０】
また、各端末は他の端末の送信方法（Localized送信およびDistributed送信）を知らない可能性が高い。そのため、参照信号の配置密度を高くする場合、すなわち、参照信号の数を増やす場合、自端末のデータ信号が割り当てられた送信帯域以外の送信帯域に参照信号を追加すると、他の端末のデータ信号または参照信号と衝突する可能性がある。よって、参照信号の配置密度を高くする場合には、本実施の形態で説明したように、端末は、参照信号の時間領域における配置密度を高くすることにより、参照信号をデータ信号の送信帯域と同一周波数帯域に追加することが好ましい。これにより、参照信号を追加する帯域で他の端末の信号と衝突することを回避することができ、さらに、追加した参照信号を通知するためのシグナリングも不要となる。
【００８１】
（実施の形態２）
実施の形態１では、所定の周波数帯域における参照信号の送信帯域の割合を参照信号の周波数領域での連続度とする場合について説明した。これに対し、本実施の形態では、周波数領域で隣接する参照信号間の周波数間隔を参照信号の周波数領域での連続度とする場合について説明する。
【００８２】
例えば、図１Ａに示すように、端末１００の信号がLocalized送信される場合、自端末の参照信号が割り当てられる送信帯域は連続であるため、隣接する参照信号間の周波数間隔は最小値０となる。一方、図１Ｂに示すように、端末１００の信号がDistributed送信される場合、自端末の参照信号が割り当てられる送信帯域において、隣接する参照信号間の周波数間隔は２サブキャリアとなる。すなわち、本実施の形態では、参照信号の周波数領域での連続度は、Localized送信時のように隣接する参照信号間の周波数間隔が最小の場合に最大となる。また、参照信号の周波数領域での連続度は、隣接する参照信号間の周波数間隔が大きくなるほど、より低くなる。
【００８３】
そこで、本実施の形態における端末１００の設定部１０８（図２）および基地局１５０の設定部１５７（図３）は、自端末の参照信号が割り当てられた各送信帯域において、隣接する参照信号間の周波数間隔に応じて、参照信号の時間領域における配置密度を設定する。ここで、設定部１０８および設定部１５７は、隣接する参照信号間の周波数間隔が大きいほど（つまり、連続度が低いほど）、参照信号の時間領域における配置密度をより高くする。また、設定部１０８および設定部１５７は、例えば、隣接する参照信号間の周波数間隔が閾値以上の場合、参照信号の時間領域における配置密度を高くし、隣接する参照信号間の周波数間隔が閾値未満の場合、参照信号の時間領域における配置密度を低くする。
【００８４】
以下、具体的に説明する。以下の説明では、実施の形態１と同様、１スロットは７つのシンボルから構成される。また、参照信号の時間領域における配置密度は１スロット内の７シンボルにおける参照信号の配置数の割合で表される。また、周波数間隔の閾値を２サブキャリアとする。また、周波数間隔が閾値未満の場合の参照信号の時間領域における配置密度を１／７とし、周波数間隔が閾値以上の場合の参照信号の時間領域における配置密度を２／７とする。
【００８５】
図９Ａの場合、対象の参照信号（図９Ａに示す下から２番目のサブキャリアに割り当てられた参照信号）と対象の参照信号に隣接する参照信号（図９Ａに示す下から４番目のサブキャリアに割り当てられた参照信号）との間の周波数間隔は１サブキャリアとなる。よって、設定部１０８および設定部１５７は、周波数間隔（１サブキャリア）が閾値未満であるため、対象の参照信号の時間領域における配置密度を１／７に設定する。よって、マッピング部１０９は、対象の参照信号が割り当てられた送信帯域（図９Ａに示す下から２番目のサブキャリア）では、７シンボルのうち１シンボルに参照信号をマッピングする。
【００８６】
一方、図９Ｂの場合、対象の参照信号（図９Ｂに示す下から２番目のサブキャリアに割り当てられた参照信号）と対象の参照信号に隣接する参照信号（図９Ａに示す下から５番目のサブキャリアに割り当てられた参照信号）との間の周波数間隔は２サブキャリアとなる。よって、設定部１０８および設定部１５７は、周波数間隔（２サブキャリア）が閾値以上であるため、対象の参照信号の時間領域における配置密度を２／７に設定する。よって、マッピング部１０９は、対象の参照信号が割り当てられた送信帯域（図９Ｂに示す下から２番目のサブキャリア）では、７シンボルのうち２シンボルに参照信号をマッピングする。
【００８７】
図９Ａに示すように、隣接する参照信号間の周波数間隔が小さい場合、チャネル相関が高いため、十分なチャネル推定精度を得ることができ、かつ、参照信号の配置密度を低くすることにより、参照信号のオーバヘッドを抑えることができる。これに対し、図９Ｂに示すように、隣接する参照信号間の周波数間隔が大きい場合、チャネル相関が低くなるものの、参照信号の時間領域における配置密度を高くすることにより、チャネル推定精度を向上させることができる。
【００８８】
よって、隣接する参照信号との周波数間隔が小さい参照信号の送信帯域では、参照信号の時間領域における配置密度を低く抑えることで参照信号のオーバヘッドを抑えることができる。また、隣接する参照信号間との周波数間隔が大きい参照信号の送信帯域では、参照信号の時間領域における配置密度を高くすることでチャネル推定精度を向上させることができる。
【００８９】
このようにして、本実施の形態では、周波数領域で隣接する参照信号間の周波数間隔に応じて、参照信号の時間領域における配置密度を設定する。これにより、実施の形態１の設定例１−３と同様、各端末が参照信号の送信に用いる送信帯域の位置に基づいて、参照信号の時間領域における配置密度を送信帯域毎に細かく設定することができる。これにより、参照信号のオーバヘッドを抑えつつ、チャネル推定精度を向上させることができる。
【００９０】
なお、本実施の形態では、端末は、対象の参照信号と隣接する一方の参照信号との周波数間隔を用いる場合について説明した。しかし、本発明では、端末は、対象の参照信号と隣接する両側の参照信号との周波数間隔の合計を用いてもよい。
【００９１】
（実施の形態３）
実施の形態１および実施の形態２では、参照信号の時間領域における配置密度を設定することで参照信号の電力密度を設定する場合について説明したのに対し、本実施の形態では、参照信号の送信電力を設定することで参照信号の電力密度を設定する。
【００９２】
また、本実施の形態では、実施の形態１と同様、所定の周波数帯域における参照信号の送信帯域の割合を、参照信号の周波数領域での連続度とする。
【００９３】
本実施の形態に係る端末１００の設定部１０８（図２）は、参照信号の周波数領域での連続度に応じて、参照信号の送信電力を設定することにより参照信号の電力密度を設定する。また、設定部１０８は、参照信号の周波数領域での連続度が低いほど、参照信号の送信電力をより大きくする。換言すると、設定部１０８は、参照信号の周波数領域での連続度が低いほど、データ信号および参照信号に分配される総送信電力のうち、参照信号に分配する送信電力の割合を高くする。そして、設定部１０８は、設定した参照信号の送信電力を示す送信電力情報をマッピング部１０９に出力する。
【００９４】
マッピング部１０９は、設定部１０８から入力される送信電力情報に従って電力を調整しながら、ＦＦＴ部１０７から入力される信号、および、送信電力情報に示された送信電力を有する参照信号を時間領域および周波数領域のリソースにマッピングする。
【００９５】
一方、本実施の形態に係る基地局１５０の設定部１５７（図３）は、設定部１０８（図２）と同様にして、参照信号の周波数領域での連続度に応じて、参照信号の送信電力を設定することにより参照信号の電力密度を設定する。また、設定部１５７は、設定部１０８と同様、参照信号の周波数領域での連続度が低いほど、参照信号の送信電力をより大きくする。そして、設定部１５７は、設定した参照信号の送信電力を示す送信電力情報をデマッピング部１５８に出力する。
【００９６】
デマッピング部１５８は、設定部１５７から入力される送信電力情報に従って電力を調整しながら、ＤＦＴ部１５６から入力される周波数領域の信号からデータ信号および参照信号を抽出する。
【００９７】
次に、本実施の形態における設定部１０８および設定部１５７における参照信号の送信電力の設定例について説明する。
【００９８】
以下の説明では、図１０に示すように１スロット（７シンボル）はデータ信号の６シンボルと参照信号の１シンボルとから構成される。また、図１０に示すように、端末１００では、１スロット（７シンボル）あたりの送信電力を一定（すなわち、１スロットあたりの送信電力＝平均送信電力×７シンボル）とし、送信電力は各シンボルに分配される。
【００９９】
また、以下の説明では、参照信号の送信電力をデータ信号の送信電力と同じ大きさにした場合には、自端末が隣接セルから受ける干渉が大きくなり、参照信号の送信電力をデータ信号の送信電力よりも大きくした場合には、自端末が隣接セルへ与える干渉が大きくなる。
【０１００】
上述した図１Ｂに示すように、参照信号の周波数領域での連続度が低くなるほどチャネル推定値のチャネル相関が低くなり、チャネル推定精度が劣化し、受信品質が劣化する。一方、データ信号は、図１Ｂに示すように、周波数領域での間隔が大きくなるほど、周波数ダイバーシチ効果を得ることができるため、受信品質が向上する。よって、図１Ｂに示すように、自端末のデータ信号および参照信号が割り当てられる送信帯域の周波数領域での間隔が大きくなる場合、つまり、参照信号の周波数領域での連続度が低くなる場合には、データ信号の送信電力を大きくするよりも、参照信号の送信電力を大きくする方が受信品質の改善効果はより大きい。
【０１０１】
そこで、本実施の形態では、設定部１０８および設定部１５７は、参照信号の周波数領域での連続度に応じて、参照信号の送信電力を設定する。
【０１０２】
＜設定例３−１＞
本設定例では、設定部１０８および設定部１５７は、参照信号の周波数領域での連続度が１未満である時に、参照信号の周波数領域での連続度が１である時よりも、参照信号の送信電力を大きくする。
【０１０３】
すなわち、実施の形態１の設定例１−１と同様にして、設定部１０８および設定部１５７は、図１Ｂに示すように連続度（割合Ｂ／Ａ）が１未満であるDistributed送信時に、図１Ａに示すように連続度（割合Ｂ／Ａ）が最大値１であるLocalized送信時よりも、参照信号の送信電力を大きくする。例えば、図１１に示すように、連続度（割合Ｂ／Ａ）が１であるLocalized送信時では、設定部１０８および設定部１５７は、参照信号の送信電力をＸに設定する。ここで、送信電力Ｘは、例えば、データ信号と同じ送信電力とする。一方、連続度（割合Ｂ／Ａ）が１未満であるDistributed送信時では、設定部１０８および設定部１５７は、参照信号の送信電力を送信電力Ｘより大きいＹに設定する。
【０１０４】
これにより、Distributed送信では、連続度が低く、参照信号に割り当てられた各送信帯域のチャネル相関が低い場合でも、設定例１−１と同様、参照信号の電力密度を高くすることにより、自端末のチャネル推定精度を向上させることができる。換言すると、Distributed送信では、参照信号の電力密度を高くすることにより、周波数領域での低いチャネル相関によるチャネル推定精度の劣化を補償することができる。一方、Localized送信では、参照信号の送信電力をデータ信号の送信電力と同じ大きさにするため、隣接セルからの干渉が大きくなるものの、参照信号が割り当てられた各送信帯域のチャネル相関が高いため、十分なチャネル推定精度を得ることができる。よって、Localized送信では、参照信号の送信電力を小さくすることにより、他セルへの干渉を抑えることができ、他セルに位置する他端末のチャネル推定精度の劣化を防ぐことができる。
【０１０５】
このように、本設定例によれば、端末は、参照信号の周波数領域での連続度に応じて、参照信号の送信電力を設定することにより参照信号の電力密度を設定する。これにより、連続度が１未満であるDistributed送信時には、参照信号の送信電力を大きくすることで自端末のチャネル推定精度を向上させることができる。よって、本設定例によれば、Localized送信およびDistributed送信の双方を用いる場合、Distributed送信でもLocalized送信に相当するチャネル推定精度を得ることができる。つまり、送信方法がLocalized送信およびDistributed送信のいずれの場合でも、十分なチャネル推定精度を得ることができる。
【０１０６】
さらに、本設定例では、端末は連続度が１であるLocalized送信時には、参照信号の送信電力を大きくしない。これにより、自端末の参照信号が他セルに与える干渉を抑えることができる。すなわち、本設定例によれば、連続度が１であるLocalized送信時には、他セルに位置する他端末のチャネル推定精度の劣化を防ぐことができる。
【０１０７】
なお、本設定例では、設定部１０８および設定部１５７は、図１１に示すように、連続度が１の場合、送信電力Ｘを設定し、連続度が１未満の場合、送信電力Ｙを設定する場合について説明した。しかし、本発明では、例えば、設定部１０８および設定部１５７は、連続度が所定の閾値以上の場合の参照信号の送信電力を図１１に示すＸに設定し、連続度が所定の閾値未満の場合の参照信号の送信電力を図１１に示すＹに設定してもよい。
【０１０８】
＜設定例３−２＞
本設定例では、さらに、設定部１０８および設定部１５７は、参照信号の周波数領域での連続度（割合Ｂ／Ａ）が低いほど参照信号の送信電力をより大きくする。
【０１０９】
例えば、図１２に示すように、連続度（割合Ｂ／Ａ）が１である場合、設定部１０８および設定部１５７は、設定例３−１と同様、参照信号の送信電力をＸ（例えば、データ信号と同じ送信電力）に設定する。
【０１１０】
一方、連続度（割合Ｂ／Ａ）が１未満である場合、設定部１０８および設定部１５７は、連続度（割合Ｂ／Ａ）が１である場合よりも参照信号の送信電力を大きくする。例えば、連続度（割合Ｂ／Ａ）が１未満である場合、設定部１０８および設定部１５７は、図１１に示すように、参照信号の送信電力Ｘよりも大きい送信電力Ｙ、または、Ｙ以上の送信電力Ｚを設定する。ここで、設定部１０８および設定部１５７は、連続度（割合Ｂ／Ａ）が低いほど、参照信号の送信電力をより大きくする。例えば、図１２に示すように、１未満の連続度（割合Ｂ／Ａ）のうち、連続度（割合Ｂ／Ａ）が高いほど参照信号の送信電力をＹに近い値に設定する。また、設定部１０８および設定部１５７は、連続度（割合Ｂ／Ａ）が低いほど参照信号の送信電力をＺに近い値に設定する。すなわち、連続度（割合Ｂ／Ａ）が１未満の場合、設定部１０８および設定部１５７は、連続度（割合Ｂ／Ａ）に応じて参照信号の送信電力をＹ〜Ｚの間のいずれかに設定する。
【０１１１】
これにより、端末１００は、設定例３−１と同様、連続度（割合Ｂ／Ａ）が１未満（Distributed送信）である時に、連続度（割合Ｂ／Ａ）が１（Localized送信）である時よりも、参照信号の送信電力を大きくする。さらに、端末１００は、連続度（割合Ｂ／Ａ）が１未満（Distributed送信）である時には、連続度（割合Ｂ／Ａ）が低いほど、参照信号の送信電力をより大きくする。これにより、端末１００は、連続度（割合Ｂ／Ａ）が１未満であるDistributed送信時には、連続度（割合Ｂ／Ａ）に応じて参照信号の送信電力を設定例３−１よりも細かく設定することができる。すなわち、端末１００では、参照信号の送信電力を連続度（割合Ｂ／Ａ）に応じて細かく設定できるため、参照信号の送信電力の増加を抑えることができる。
【０１１２】
このようにして、本設定例によれば、連続度が１未満であるDistributed送信時における他セルへの干渉を抑えつつ、自端末のチャネル推定精度を向上させることができる。
【０１１３】
＜設定例３−３＞
本設定例では、実施の形態１の設定例１−３と同様、参照信号の各送信帯域（サブキャリア）を中心とする所定範囲の周波数帯域を所定の周波数帯域とする場合について説明する。
【０１１４】
すなわち、本実施の形態では、各送信帯域を中心とする所定範囲の周波数帯域における参照信号の送信帯域の割合を連続度として用いる。そして、例えば、設定部１０８および設定部１５７は、所定の周波数帯域における参照信号の送信帯域の割合（連続度）が閾値未満の場合、参照信号の送信電力を大きくし、所定の周波数帯域における参照信号の送信帯域の割合（連続度）が閾値以上の場合、参照信号の送信電力をデータ信号と同じ大きさにする。
【０１１５】
以下、具体的に説明する。ここでは、実施の形態１の設定例１−３と同様、対象の送信帯域（例えば、図１３Ａおよび図１３Ｂに示す５サブキャリアのうち中央のサブキャリア）の前後２サブキャリアの４サブキャリアを所定範囲の周波数帯域、つまり、所定の周波数帯域とする。また、閾値を１／２とする。
【０１１６】
図１３Ａ左側に示すように、所定の周波数帯域（４サブキャリア）における参照信号の送信帯域（２サブキャリア）の割合（連続度）は１／２（＝２／４）となる。よって、設定部１０８および設定部１５７は、割合（連続度）が閾値以上であるため、図１３Ａ右側に示すように、対象の送信帯域における参照信号の送信電力をデータ信号と同じ送信電力に設定する。
【０１１７】
一方、図１３Ｂ左側に示すように、所定の周波数帯域（４サブキャリア）における参照信号の送信帯域（０サブキャリア）の割合（連続度）は０（＝０／４）となる。よって、設定部１０８および設定部１５７は、割合（連続度）が閾値未満であるため、図１３Ｂ右側に示すように、対象の送信帯域における参照信号の送信電力を図１３Ａの場合よりも大きい送信電力、すなわち、データ信号の送信電力よりも大きい送信電力に設定する。
【０１１８】
これにより、図１３Ａに示すように、所定の周波数帯域において参照信号の送信帯域が占有する割合が高い場合、対象の送信帯域および所定範囲の周波数帯域ではチャネル相関が高くなるため、参照信号の送信電力を大きくしなくても十分なチャネル推定精度を得ることができる。これに対し、図１３Ｂに示すように、所定の周波数帯域において参照信号の送信帯域が占有する割合が低い場合、対象の送信帯域および所定範囲の周波数帯域ではチャネル相関が低くなるものの、参照信号の送信電力を大きくすることにより、チャネル推定精度を向上させることができる。
【０１１９】
このようにして、端末１００は、自端末の参照信号に割り当てられた送信帯域毎の連続度に応じて参照信号の送信電力を設定する。これにより、連続度が低い送信帯域では、参照信号の送信電力を高くすることで自端末のチャネル推定精度を向上させることができる。また、連続度が高い送信帯域では、参照信号の送信電力を小さくすることで他セルへの干渉を抑えることができる。
【０１２０】
よって、本設定例によれば、各端末が参照信号の送信に用いる送信帯域の位置に基づいて、参照信号の送信電力を送信帯域毎に細かく設定することができる。これにより、他セルへの干渉を抑えつつ、自端末のチャネル推定精度を向上させることができる。
【０１２１】
以上、参照信号の送信電力の設定例３−１〜３−３について説明した。
【０１２２】
このように、本実施の形態によれば、端末は、参照信号の周波数領域での連続度が低いほど、参照信号の送信電力を大きくする。これにより、参照信号の電力密度が高くなるため、周波数領域でのチャネル推定精度の劣化を補償することができる。よって、本実施の形態によれば、Localized送信およびDistributed送信の双方を用いる場合、Distributed送信でもLocalized送信に相当するチャネル推定精度を得ることができる。つまり、Localized送信およびDistributed送信の双方を用いる場合、双方の送信方法で十分なチャネル推定精度を得ることができる。
【０１２３】
さらに、本実施の形態によれば、連続度が高いほど参照信号の送信電力は小さくなるため、他セルへの干渉を抑えることができる。
【０１２４】
なお、本実施の形態では、参照信号の周波数領域での連続度が低いほど、参照信号の送信電力をより大きくするか否かを基地局が選択できるようにしてもよい。例えば、基地局は、連続度が高いLocalized送信では上記実施の形態と同様、参照信号の送信電力をデータ信号の送信電力と同一に設定する一方、連続度が低いDistributed送信では参照信号の送信電力をデータ信号の送信電力よりも高くするか否かを選択してもよい。
【０１２５】
（実施の形態４）
本実施の形態では、実施の形態２と同様、周波数領域で隣接する参照信号間の周波数間隔を参照信号の周波数領域での連続度とし、かつ、実施の形態３と同様、参照信号の送信電力を設定することにより参照信号の電力密度を設定する場合について説明する。
【０１２６】
すなわち、本実施の形態における端末１００の設定部１０８（図２）および基地局１５０の設定部１５７（図３）は、実施の形態２と同様にして、自端末の参照信号が割り当てられた各送信帯域において、隣接する参照信号間の周波数間隔に応じて、参照信号の送信電力を設定する。ここで、設定部１０８および設定部１５７は、隣接する参照信号間の周波数間隔が大きいほど（つまり、連続度が低いほど）、参照信号の送信電力をより大きくする。また、設定部１０８および設定部１５７は、例えば、隣接する参照信号間の周波数間隔が閾値以上の場合、参照信号の送信電力を大きくし、隣接する参照信号間の周波数間隔が閾値未満の場合、参照信号の送信電力をデータ信号の送信電力と同じ送信電力にする。
【０１２７】
以下、具体的に説明する。以下の説明では、実施の形態３と同様、図１０に示すように１スロット（７シンボル）はデータ信号の６シンボルと参照信号の１シンボルとから構成される。また、図１０に示すように、端末１００では、１スロット（７シンボル）あたりの送信電力を一定とし、送信電力は各シンボルに分配される。また、周波数間隔の閾値を２サブキャリアとする。
【０１２８】
図１４Ａの場合、対象の参照信号（図１４Ａ左側に示す下から２番目のサブキャリアに割り当てられた参照信号）と対象の参照信号に隣接する参照信号（図１４Ａ左側に示す下から４番目のサブキャリアに割り当てられた参照信号）との間の周波数間隔は１サブキャリアとなる。よって、設定部１０８および設定部１５７は、周波数間隔（１サブキャリア）が閾値未満であるため、図１４Ａ右側に示すように、対象の参照信号の送信電力をデータ信号と同じ送信電力に設定する。
【０１２９】
一方、図１４Ｂの場合、対象の参照信号（図１４Ｂ左側に示す下から２番目のサブキャリアに割り当てられた参照信号）と対象の参照信号に隣接する参照信号（図１４Ｂ左側に示す下から５番目のサブキャリアに割り当てられた参照信号）との間の周波数間隔は２サブキャリアとなる。よって、設定部１０８および設定部１５７は、周波数間隔（２サブキャリア）が閾値以上であるため、図１４Ｂ右側に示すように、対象の参照信号の送信電力を図１４Ａよりも大きい送信電力、すなわち、データ信号の送信電力よりも大きい送信電力に設定する。
【０１３０】
図１４Ａに示すように、隣接する参照信号間の周波数間隔が小さい場合、チャネル相関が高いため、十分なチャネル推定精度を得ることができ、かつ、参照信号の送信電力を小さくすることにより、他セルへの干渉を抑えることができる。これに対し、図１４Ｂに示すように、隣接する参照信号間の周波数間隔が大きい場合、チャネル相関が低くなるものの、参照信号の送信電力を大きくすることにより、チャネル推定精度を向上させることができる。
【０１３１】
よって、隣接する参照信号との周波数間隔が小さい参照信号の送信帯域では、参照信号の送信電力を小さくすることで他セルへの干渉を抑えることができる。また、隣接する参照信号との周波数間隔が大きい参照信号の送信帯域では、参照信号の送信電力を大きくすることでチャネル推定精度を向上させることができる。
【０１３２】
このようにして、本実施の形態では、実施の形態２と同様、各端末が参照信号の送信に用いる送信帯域の位置に基づいて、参照信号の送信電力を送信帯域毎に細かく設定することができる。これにより、他セルへの干渉を最小限に抑えつつ、チャネル推定精度を向上させることができる。
【０１３３】
なお、本実施の形態では、端末は、対象の参照信号と隣接する一方の参照信号との周波数間隔を用いる場合について説明した。しかし、本発明では、端末は、対象の参照信号と隣接する両側の参照信号との周波数間隔の合計を用いてもよい。
【０１３４】
以上、本発明の各実施の形態について説明した。
【０１３５】
なお、上記実施の形態では、例えば、図４Ａおよび図４Ｂに示すように、参照信号の配置密度として、時間領域における配置密度について説明した。しかし、本発明では、参照信号の配置密度を、周波数領域および時間領域の２次元における配置密度にしてもよい。また、参照信号の配置密度は、周波数領域および時間領域における配置密度に限らず、例えば、時間領域および空間領域における配置密度としてもよい。また、参照信号の配置密度は、周波数領域および時間領域の２次元における配置密度に限らず、周波数領域および時間領域に加え、空間領域を含む３次元における配置密度としてもよい。
【０１３６】
また、上記実施の形態では、例えば、図４Ｂに示すように、参照信号の送信帯域を１サブキャリア毎に分散させる場合について説明した。しかし、本発明では、数サブキャリア（例えば、１２サブキャリア）だけ連続する参照信号の送信帯域を１つのグループとし、各グループを広い帯域に分散させてもよい。また、上記実施の形態では、図４Ｂに示すように、参照信号の送信帯域を等間隔（図４Ｂでは２サブキャリア間隔）で分散させる場合について説明した。しかし、本発明では、参照信号の送信帯域の間隔は等間隔でなくてもよい。
【０１３７】
また、上記実施の形態では、１スロット内のシンボル（例えば、７シンボル）における参照信号の配置数の割合を参照信号の時間領域における配置密度とする場合について説明した。しかし、本発明では、例えば、１スロット内のデータ信号に対する参照信号の配置数の割合を参照信号の時間領域における配置密度としてもよい。例えば、１スロット内の７シンボルのうち、データ信号が６シンボルであり、参照信号が１シンボルである場合、参照信号の時間領域における配置密度は１／６となる。また、例えば、１スロット内の７シンボルのうち、データ信号が５シンボルであり、参照信号が２シンボルである場合、参照信号の時間領域における配置密度は２／５となる。
【０１３８】
また、上記実施の形態では、本発明をLocalized送信およびDistributed送信に適用する場合を一例として説明した。しかし、本発明では、Localized送信の代わりにＳＣ−ＦＤＭＡ（Single Carrier-Frequency Division Multiplexing Access）伝送を適用し、Distributed送信の代わりにＯＦＤＭＡ（Orthogonal Frequency Division Multiplexing Access）を適用してもよい。または、本発明をLocalized送信およびDistributed送信の双方が混在するＯＦＤＭＡ伝送に適用してもよい。また、例えば、Localized送信の代わりに基地局（ｅＮＢ）と中継局（ＲＳ）との間の送信を適用し、Distributed送信の代わりに中継局（ＲＳ）と端末（ＵＥ）との間の送信を適用してもよい。一般に、中継局（ＲＳ）と端末（ＵＥ）との間の受信特性は、基地局（ｅＮＢ）と中継局（ＲＳ）との間の受信特性よりも劣悪である。そこで、本発明を適用することにより、中継局（ＲＳ）と端末（ＵＥ）との間の送信時に参照信号の配置密度が多くなるため、チャネル推定精度を向上させることができ、受信特性を改善することができる。
【０１３９】
また、本発明では、端末および基地局は、参照信号の周波数領域での連続度と参照信号の電力密度との複数の対応付けからなる設定パターンを示すテーブルを保持してもよい。例えば、参照信号の電力密度として参照信号の時間領域における配置密度を用いる場合には、図１５に示すテーブルを用いる。ここで、図１５に示す配置密度は、１スロット内のシンボルにおける参照信号の配置数の割合を示す。図１５に示すように、パターン＃１〜＃３毎に参照信号の時間領域における配置密度が異なる。具体的には、パターン＃１が示す配置密度が最も低く、パターン＃３に示す配置密度が最も高い。また、各パターンでは、Distributed送信時の参照信号の時間領域における配置密度は、Localized送信時の参照信号の時間領域における配置密度よりも高く設定されている。
【０１４０】
また、例えば、参照信号の電力密度として参照信号の送信電力を用いる場合には、図１６に示すテーブルを用いる。ここで、図１６に示す参照信号の送信電力は、データ信号の送信電力に対する増加の割合を示す。図１６に示すように、パターン＃１〜＃３毎に参照信号の送信電力が異なる。具体的には、パターン＃１が示す送信電力が最も小さく、パターン＃３に示す送信電力が最も大きい。また、各パターンでは、Distributed送信時の参照信号の送信電力は、Localized送信時の参照信号の送信電力よりも大きく設定されている。
【０１４１】
そして、基地局は、図１５または図１６において、複数の対応付け（パターン＃１〜＃３）のうちいずれかを選択し、選択したパターンを端末に通知する。そして、端末は、基地局から通知されたパターンを受信し、その設定パターン情報および送信方法（Localized送信またはDistributed送信）を示す情報に基づいてテーブルを参照して、参照信号の電力密度を設定する。これにより、基地局では、参照信号の電力密度（参照信号の時間領域における配置密度または参照信号の送信電力）を、例えば、伝搬環境の変動に応じて柔軟に変更することができ、上記実施の形態と同様、参照信号のオーバヘッドまたは他セルへの干渉を抑えつつ、チャネル推定精度を向上させることができる。
【０１４２】
また、上記実施の形態では、端末から基地局への上り回線においてデータおよび参照信号を送信する例を挙げたが、基地局から端末への下り回線における送信の場合でも同様に適用できる。
【０１４３】
また、参照信号がＺＣ（Zadoff Chu）系列である場合に本発明を適用してもよい。この場合、不連続（すなわち、連続度が１未満）である送信帯域に参照信号が割り当てられるDistributed送信では、連続（すなわち、連続度が１）である送信帯域に参照信号が割り当てられるLocalized送信と比較してＺＣ系列の干渉除去効果が極端に低下する。そのため、参照信号がＺＣ系列である場合に本発明を適用することも効果的である。
【０１４４】
また、上記各実施の形態では、本発明をハードウェアで構成する場合を例にとって説明したが、本発明はソフトウェアで実現することも可能である。
【０１４５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４８】
２００８年８月５日出願の特願２００８−２０２０９８の日本出願に含まれる明細書、図面および要約書の開示内容は、すべて本願に援用される。
【産業上の利用可能性】
【０１４９】
本発明は、移動体通信システム等に適用することができる。
【図１Ａ】
2010016240.tif 000003
【図１Ｂ】
2010016240.tif 000004
【図２】
2010016240.tif 000005
【図３】
2010016240.tif 000006
【図４Ａ】
2010016240.tif 000007
【図４Ｂ】
2010016240.tif 000008
【図５】
2010016240.tif 000009
【図６】
2010016240.tif 000010
【図７】
2010016240.tif 000011
【図８Ａ】
2010016240.tif 000012
【図８Ｂ】
2010016240.tif 000013
【図９Ａ】
2010016240.tif 000014
【図９Ｂ】
2010016240.tif 000015
【図１０】
2010016240.tif 000016
【図１１】
2010016240.tif 000017
【図１２】
2010016240.tif 000018
【図１３Ａ】
2010016240.tif 000019
【図１３Ｂ】
2010016240.tif 000020
【図１４Ａ】
2010016240.tif 000021
【図１４Ｂ】
2010016240.tif 000022
【図１５】
2010016240.tif 000023
【図１６】
2010016240.tif 000024
【手続補正書】
【提出日】平成22年11月1日(2010.11.1)
【手続補正１】
【補正対象書類名】明細書
【補正対象項目名】全文
【補正方法】変更
【補正の内容】
【発明の詳細な説明】
【技術分野】
【０００１】
本発明は、無線通信装置および電力密度設定方法に関する。
【背景技術】
【０００２】
３ＧＰＰ  ＬＴＥ(3rd Generation Partnership Project Long-term Evolution)またはＬＴＥの発展形であるＬＴＥ−Ａｄｖａｎｃｅｄの上り回線では、ローカライズド（Localized）送信およびディストリビューテッド（Distributed）送信の双方を用いることが検討されている（非特許文献１参照）。すなわち、各無線通信端末装置（以下、単に端末という）から無線通信基地局装置（以下、単に基地局という）への通信において、Localized送信とDistributed送信とを切り替える。
【０００３】
Localized送信は、データ信号および参照信号を連続する周波数帯域に割り当てて送信する方法である。例えば、図１Ａに示すように、Localized送信では、データ信号および参照信号は、連続する送信帯域に割り当てられる。Localized送信では、基地局が各端末での周波数帯域毎の受信品質に基づいて、各端末に対して連続する周波数帯域を割り当てるため、最大限のマルチユーザダイバーシチ効果、すなわち、周波数スケジューリング効果を得ることができる。
【０００４】
一方、Distributed送信は、データ信号および参照信号を広い帯域に分散された非連続な周波数帯域に割り当てて送信する方法である。例えば、図１Ｂに示すように、Distributed送信では、データ信号および参照信号は、周波数帯域全体に分散された送信帯域に割り当てられる。Distributed送信では、１つの端末のデータ信号または参照信号のすべてがフェージングの谷にあたってしまう確率を減少させること、すなわち、周波数ダイバーシチ効果を得ることができ、受信特性の劣化を抑えることができる。
【０００５】
また、ＬＴＥでは、端末は、図１Ａおよび図１Ｂに示すように、データ信号および参照信号を同一の送信帯域で送信する（非特許文献２参照）。そして、基地局は、参照信号を用いて各端末のデータ信号が割り当てられた送信帯域のチャネル推定値を推定し、推定したチャネル推定値を用いてデータ信号を復調する。
【先行技術文献】
【非特許文献】
【０００６】
【非特許文献１】R1-062513, "Performance comparison between LFDMA and DFDMA transmission in UL", 3GPP RAN WG1 #46bis meeting, Seoul, KOREA, OCT. 9-13 2006
【非特許文献２】3GPP TS 36.212 V8.1.0, "Multiplexing and channel coding(Release 8)," 2007-11
【発明の概要】
【発明が解決しようとする課題】
【０００７】
図１Ａに示すように、Localized送信では、１つの端末の参照信号が割り当てられる送信帯域すべてが連続するため、チャネル相関が高い。そのため、Localized送信では、高いフィルタリング効果を得ることができ、十分なチャネル推定精度が得られる。これに対し、図１Ｂに示すように、Distributed送信では、１つの端末の参照信号が割り当てられる送信帯域が不連続であるため、チャネル相関が低い。そのため、Distributed送信では、低いフィルタリング効果しか得られず、チャネル推定精度が低下してしまう。
【０００８】
よって、Localized送信およびDistributed送信の双方を用いる場合、Distributed送信
時には、Localized送信時よりもチャネル推定精度が劣化してしまう。すなわち、端末がDistributed送信を用いる場合には、Localized送信を用いる場合よりも低いチャネル推定精度しか得られなくなる。
【０００９】
本発明の目的は、Localized送信およびDistributed送信の双方を用いる場合、Distributed送信でもLocalized送信に相当するチャネル推定精度を得ることができる無線通信装置および電力密度設定方法を提供することである。
【課題を解決するための手段】
【００１０】
本発明の無線通信装置は、参照信号の周波数領域での連続度に応じて、参照信号の電力密度を設定する設定手段と、前記電力密度を有する参照信号を送信する送信手段と、を具備し、前記設定手段は、前記連続度が低いほど前記電力密度をより高くする構成を採る。
【００１１】
本発明の電力密度設定方法は、参照信号の周波数領域での連続度に応じて、参照信号の電力密度を設定する電力密度設定方法において、前記連続度が低いほど前記電力密度をより高くするようにした。
【発明の効果】
【００１２】
本発明によれば、Localized送信およびDistributed送信の双方を用いる場合、Distributed送信でもLocalized送信に相当するチャネル推定精度を得ることができる。
【図面の簡単な説明】
【００１３】
【図１Ａ】Localized送信時における参照信号の送信帯域を示す図
【図１Ｂ】Distributed送信時における参照信号の送信帯域を示す図
【図２】本発明の実施の形態１に係る端末の構成を示すブロック図
【図３】本発明の実施の形態１に係る基地局の構成を示すブロック図
【図４Ａ】本発明の実施の形態１に係る参照信号のマッピング処理を示す図（Localized送信の場合）
【図４Ｂ】本発明の実施の形態１に係る参照信号のマッピング処理を示す図（Distributed送信の場合）
【図５】本発明の実施の形態１に係る連続度と参照信号の配置密度との対応を示す図
【図６】本発明の実施の形態１に係るその他の参照信号のマッピング処理を示す図
【図７】本発明の実施の形態１に係る連続度と参照信号の配置密度との対応を示す図
【図８Ａ】本発明の実施の形態１に係る参照信号の配置密度の設定処理を示す図
【図８Ｂ】本発明の実施の形態１に係る参照信号の配置密度の設定処理を示す図
【図９Ａ】本発明の実施の形態２に係る参照信号の配置密度の設定処理を示す図
【図９Ｂ】本発明の実施の形態２に係る参照信号の配置密度の設定処理を示す図
【図１０】本発明の実施の形態３に係る１スロット内の各シンボルの送信電力を示す図
【図１１】本発明の実施の形態３に係る連続度と参照信号の送信電力との対応を示す図
【図１２】本発明の実施の形態３に係る連続度と参照信号の送信電力との対応を示す図
【図１３Ａ】本発明の実施の形態３に係る参照信号の送信電力の設定処理を示す図
【図１３Ｂ】本発明の実施の形態３に係る参照信号の送信電力の設定処理を示す図
【図１４Ａ】本発明の実施の形態４に係る参照信号の送信電力の設定処理を示す図
【図１４Ｂ】本発明の実施の形態４に係る参照信号の送信電力の設定処理を示す図
【図１５】本発明に係る複数の設定パターンを示す図（配置密度の場合）
【図１６】本発明に係る複数の設定パターンを示す図（送信電力の場合）
【発明を実施するための形態】
【００１４】
以下、本発明の実施の形態について、図面を参照して詳細に説明する。
【００１５】
以下の説明では、１つの端末に割り当てられる複数の送信帯域すべてが周波数領域で連続になるようにして送信する送信方法をLocalized送信とする。例えば、図１Ａに示すように、Localized送信では、連続する５サブキャリアに１つの端末のデータ信号および参照信号が割り当てられる。一方、１つの端末に割り当てられる複数の送信帯域のうち少なくとも１つが不連続になるようにして送信する送信方法をDistributed送信とする。例えば、図１Ｂに示すように、Distributed送信では、２サブキャリア間隔の不連続な５サブキャリアに１つの端末のデータ信号および参照信号が割り当てられる。
【００１６】
ここで、チャネル推定精度は、参照信号が割り当てられた各送信帯域におけるチャネル推定値の位相関係（すなわち、同相であるか異なる位相であるか）に影響を受ける。例えば、図１Ａに示すように、参照信号が割り当てられる送信帯域すべてが連続する場合（すなわち、Localized送信の場合）、チャネル相関が高くなるため、各送信帯域におけるチャネル推定値の位相が同相になる可能性が高くなる。よって、チャネル推定時には、各送信帯域におけるチャネル推定値がほぼ同相で加算されるため、高いフィルタリング効果を得ることができ、十分なチャネル推定精度が得られる。
【００１７】
これに対し、図１Ｂに示すように、参照信号が割り当てられる送信帯域が不連続になる場合（すなわち、Distributed送信の場合）、チャネル相関が低くなるため、各送信帯域におけるチャネル推定値の位相が異なる可能性が高くなる。よって、チャネル推定時には、各送信帯域におけるチャネル推定値は異なる位相で加算されるため、低いフィルタリング効果しか得られず、チャネル推定精度が低下する。
【００１８】
このように、参照信号が割り当てられる送信帯域が不連続になるほど、つまり、参照信号が割り当てられた各送信帯域の周波数領域における距離が離れるほど、各送信帯域におけるチャネル推定値の位相が異なる可能性がより高くなるため、チャネル推定精度がより低下する。換言すると、参照信号が割り当てられる送信帯域の連続度（つまり、参照信号の周波数領域での連続度）が低くなるほど、チャネル推定精度がより低下する。
【００１９】
そのため、参照信号の周波数領域での連続度が低いほど、参照信号の電力密度を高くすることによるチャネル推定精度の改善効果はより大きい。そこで、本発明では、端末は、参照信号の周波数領域での連続度が低いほど、参照信号の電力密度をより高く設定する。
【００２０】
（実施の形態１）
本実施の形態では、所定の周波数帯域における参照信号の送信帯域の割合を参照信号の周波数領域での連続度として用い、その割合が小さいほど参照信号の時間領域における配置密度をより高くする。
【００２１】
本実施の形態に係る端末１００の構成について、図２を用いて説明する。
【００２２】
図２に示す端末１００の受信ＲＦ部１０２は、アンテナ１０１を介して受信した信号にダウンコンバート、Ａ／Ｄ変換等の受信処理を施し、受信処理を施した信号を復調部１０３に出力する。
【００２３】
復調部１０３は、受信ＲＦ部１０２から入力される信号に等化処理および復調処理を施し、これらの処理を施した信号を復号部１０４に出力する。
【００２４】
復号部１０４は、復調部１０３から入力される信号に復号処理を施し、受信データおよび制御情報を抽出する。
【００２５】
符号化部１０５は、送信データを符号化し、符号化データを変調部１０６に出力する。
【００２６】
変調部１０６は、符号化部１０５から入力される符号化データを変調し、変調後のデータ信号をＦＦＴ（Fast Fourier Transform）部１０７に出力する。
【００２７】
ＦＦＴ部１０７は、変調部１０６から入力されるデータ信号にＦＦＴ処理を施す。そして、ＦＦＴ部１０７は、ＦＦＴ処理を施したデータ信号をマッピング部１０９に出力する。
【００２８】
設定部１０８は、参照信号の周波数領域での連続度に応じて、参照信号の時間領域における配置密度を設定することにより参照信号の電力密度を設定する。ここでは、所定の周波数帯域における参照信号の送信帯域の割合を連続度とする。また、例えば、参照信号の１サブキャリアおよび１スロット（７シンボル）における配置数の割合を参照信号の時間領域における配置密度とする。そして、設定部１０８は、所定の周波数帯域における参照信号の送信帯域の割合が小さいほど（連続度が低いほど）、参照信号の時間領域における配置密度をより高くする。つまり、設定部１０８は、参照信号の周波数領域での連続度が低いほど、参照信号の電力密度をより高くする。換言すると、設定部１０８は、所定の周波数帯域における参照信号の送信帯域の割合が小さいほど（連続度が低いほど）、所定の時間領域（例えば、１スロット）における参照信号の数をより多くする。そして、設定部１０８は、設定した参照信号の配置密度をマッピング部１０９に出力する。
【００２９】
マッピング部１０９は、設定部１０８から入力される参照信号の配置密度に従って、ＦＦＴ部１０７から入力されるデータ信号、および、参照信号を周波数領域および時間領域のリソースにマッピングする。例えば、マッピング部１０９は、設定部１０８から入力される参照信号の配置密度に対応する、データ信号および参照信号のマッピングパターンを保持し、参照信号の配置密度に応じてデータ信号および参照信号をマッピングする。そして、マッピング部１０９は、データ信号および参照信号がマッピングされた信号をＩＦＦＴ（Inverse Fast Fourier Transform）部１１０に出力する。
【００３０】
ＩＦＦＴ部１１０は、マッピング部１０９から入力される信号にＩＦＦＴ処理を施す。そして、ＩＦＦＴ部１１０は、ＩＦＦＴ処理を施した信号を送信ＲＦ部１１１に出力する。
【００３１】
送信ＲＦ部１１１は、ＩＦＦＴ部１１０から入力される信号にＤ／Ａ変換、アップコンバート、増幅等の送信処理を施し、送信処理を施した信号をアンテナ１０１から基地局１５０へ無線送信する。これにより、送信ＲＦ部１１１は、設定部１０８で設定された電力密度を有する参照信号を送信する。
【００３２】
次に、本実施の形態に係る基地局１５０の構成について、図３を用いて説明する。
【００３３】
図３に示す基地局１５０の符号化部１５１は、送信データおよび制御信号を符号化し、符号化データを変調部１５２に出力する。
【００３４】
変調部１５２は、符号化部１５１から入力される符号化データを変調し、変調後の信号を送信ＲＦ部１５３に出力する。
【００３５】
送信ＲＦ部１５３は、変調部１５２から入力される信号にＤ／Ａ変換、アップコンバート、増幅等の送信処理を施し、送信処理を施した信号をアンテナ１５４から無線送信する。
【００３６】
受信ＲＦ部１５５は、アンテナ１５４を介して受信した信号にダウンコンバート、Ａ／
Ｄ変換等の受信処理を施し、受信処理を施した信号をＤＦＴ（Discrete Fourier transform）部１５６に出力する。
【００３７】
ＤＦＴ部１５６は、受信ＲＦ部１５５から入力される信号にＤＦＴ処理を施し、時間領域から周波数領域の信号に変換する。そして、ＤＦＴ部１５６は、周波数領域の信号をデマッピング部１５８に出力する。
【００３８】
設定部１５７は、設定部１０８（図２）と同様にして、参照信号の周波数領域での連続度に応じて、参照信号の時間領域における配置密度を設定する。ここで、設定部１５７は、所定の周波数帯域における参照信号の送信帯域の割合（連続度）が小さいほど参照信号の配置密度を高くする。そして、設定部１５７は、設定した参照信号の配置密度をデマッピング部１５８に出力する。
【００３９】
デマッピング部１５８は、設定部１５７から入力される参照信号の配置密度に従って、ＤＦＴ部１５６から入力される周波数領域の信号からデータ信号および参照信号を抽出する。例えば、デマッピング部１５８は、設定部１５７から入力される参照信号の配置密度に対応する、データ信号および参照信号のマッピングパターンを保持し、参照信号の配置密度に応じてデータ信号および参照信号を抽出する。そして、デマッピング部１５８は、抽出したデータ信号を周波数領域等化部１６４に出力し、参照信号を伝搬路推定部１５９の除算部１６０に出力する。
【００４０】
伝搬路推定部１５９は、除算部１６０、ＩＦＦＴ部１６１、マスク処理部１６２、ＤＦＴ部１６３を備え、デマッピング部１５８から入力される参照信号に基づいて、伝搬路を推定する。以下、伝搬路推定部１５９の内部構成について具体的に説明する。
【００４１】
除算部１６０は、デマッピング部１５８から入力される参照信号を、予め設定された参照信号で除算する。そして、除算部１６０は、除算結果（相関値）をＩＦＦＴ部１６１に出力する。
【００４２】
ＩＦＦＴ部１６１は、除算部１６０から入力される信号にＩＦＦＴ処理を施す。そして、ＩＦＦＴ部１６１は、ＩＦＦＴ処理を施した信号をマスク処理部１６２に出力する。
【００４３】
抽出手段としてのマスク処理部１６２は、入力される巡回シフト量に基づいて、ＩＦＦＴ部１６１から入力される信号にマスク処理を施すことにより、所望の巡回シフト系列の相関値が存在する区間（検出窓）の相関値を抽出する。そして、マスク処理部１６２は、抽出した相関値をＤＦＴ部１６３に出力する。
【００４４】
ＤＦＴ部１６３は、マスク処理部１６２から入力される相関値にＤＦＴ処理を施す。そして、ＤＦＴ部１６３は、ＤＦＴ処理を施した相関値を周波数領域等化部１６４に出力する。なお、ＤＦＴ部１６３から出力される信号は、伝搬路の周波数変動（伝搬路の周波数応答）を表すものである。
【００４５】
周波数領域等化部１６４は、伝搬路推定部１５９のＤＦＴ部１６３から入力される信号（伝搬路の周波数応答）を用いて、デマッピング部１５８から入力されるデータ信号に等化処理を施す。そして、周波数領域等化部１６４は、等化処理を施した信号をＩＦＦＴ部１６５に出力する。
【００４６】
ＩＦＦＴ部１６５は、周波数領域等化部１６４から入力されるデータ信号にＩＦＦＴ処理を施す。そして、ＩＦＦＴ部１６５は、ＩＦＦＴ処理を施した信号を復調部１６６に出力する。
【００４７】
復調部１６６は、ＩＦＦＴ部１６５から入力される信号に復調処理を施し、復調処理を施した信号を復号部１６７に出力する。
【００４８】
復号部１６７は、復調部１６６から入力される信号に復号処理を施し、受信データを抽出する。
【００４９】
次に、本実施の形態における端末１００の設定部１０８（図２）および基地局１５０の設定部１５７（図３）における参照信号の時間領域における配置密度の設定例について説明する。
【００５０】
以下の説明では、１スロットは７つのシンボルから構成される。また、参照信号の配置密度は、参照信号の１スロット内の７シンボルにおける配置数の割合で表される。例えば、７シンボルのうち、６シンボルがデータ信号であり、１シンボルが参照信号である場合、参照信号の配置密度を１／７とする。また、例えば、７シンボルのうち、５シンボルがデータ信号であり、２シンボルが参照信号である場合、参照信号の配置密度を２／７とする。
【００５１】
＜設定例１−１＞
本設定例では、設定部１０８および設定部１５７は、参照信号の周波数領域での連続度が１未満である時に、参照信号の周波数領域での連続度が１である時よりも、参照信号の時間領域における配置密度を高くする。
【００５２】
以下の説明では、自端末の参照信号が割り当てられる周波数領域全体（すなわち、自端末の参照信号が割り当てられる両端の送信帯域の周波数間隔）を所定の周波数帯域とする。例えば、図４Ａに示すように、端末１００の信号（データ信号および参照信号）がLocalized送信される場合、所定の周波数帯域（Ａ）は、５サブキャリアであり、参照信号の送信帯域（Ｂ）も５サブキャリアである。よって、所定の周波数帯域（Ａ）における参照信号の送信帯域（Ｂ）の割合Ｂ／Ａ（連続度）は１（＝５／５）となる。すなわち、Localized送信時における連続度（割合Ｂ／Ａ）は最大値１となる。
【００５３】
一方、図４Ｂに示すように、端末１００の信号（データ信号および参照信号）がDistributed送信される場合、所定の周波数帯域（Ａ）は、１３サブキャリアであり、参照信号の送信帯域（Ｂ）は５サブキャリアである。よって、所定の周波数帯域（Ａ）における参照信号の送信帯域（Ｂ）の割合Ｂ／Ａ（連続度）は５／１３）となる。すなわち、Distributed送信時における連続度（割合Ｂ／Ａ）は１未満となる。
【００５４】
よって、設定部１０８および設定部１５７は、連続度（割合Ｂ／Ａ）が１未満であるDistributed送信時に、連続度（割合Ｂ／Ａ）が最大値１であるLocalized送信時よりも、参照信号の時間領域における配置密度を高くする。
【００５５】
例えば、図５に示すように、連続度（割合Ｂ／Ａ）が１であるLocalized送信時では、設定部１０８および設定部１５７は、参照信号の時間領域における配置密度をＸに設定する。一方、連続度（割合Ｂ／Ａ）が１未満であるDistributed送信時では、設定部１０８および設定部１５７は、参照信号の時間領域における配置密度をＸより値が大きいＹに設定する。ここで、例えば、参照信号の時間領域における配置密度Ｘを上記従来技術と同様、１／７とし、参照信号の時間領域における配置密度ＹをＸ＝１／７よりも大きい２／７としてもよい。
【００５６】
次に、端末１００のマッピング部１０９（図２）における参照信号のマッピング処理に
ついて説明する。ここでは、図５に示す参照信号の時間領域における配置密度Ｘを１／７とし、参照信号の時間領域における配置密度Ｙを２／７とする。
【００５７】
すなわち、連続度が１（Localized送信）の場合、参照信号の時間領域における配置密度Ｘは１／７であるので、マッピング部１０９は、図４Ａに示すように、１スロット（７シンボル）のうち１シンボルに参照信号をマッピングする。これに対し、連続度が１未満（Distributed送信）の場合、参照信号の時間領域における配置密度Ｙは２／７であるので、マッピング部１０９は、図４Ｂに示すように、１スロット（７シンボル）のうち２シンボルに参照信号をマッピングする。これにより、端末１００では、連続度が１未満であるDistributed送信時では、連続度が１であるLocalized送信時よりも、参照信号の電力密度が高くなる。
【００５８】
このようにして、端末１００は、連続度が１未満（Distributed送信）である時に、連続度が１（Localized送信）である時よりも、参照信号の時間領域における配置密度を高くする。これにより、Distributed送信では、連続度が低く、参照信号が割り当てられた各送信帯域のチャネル相関が低い場合でも、参照信号の電力密度を高くすることにより、チャネル推定精度を向上させることができる。換言すると、Distributed送信では、参照信号の電力密度を高くすることにより、周波数領域での低いチャネル相関によるチャネル推定精度の劣化を補償することができる。一方、Localized送信では、参照信号の電力密度が低い場合でも、参照信号が割り当てられた各送信帯域のチャネル相関が高いため、十分なチャネル推定精度を得ることができる。よって、Localized送信では、参照信号の配置密度を低くすることにより、参照信号のオーバヘッドを抑えることができる。
【００５９】
このように、本設定例によれば、端末は、参照信号の周波数領域での連続度に応じて、参照信号の時間領域における配置密度を設定することにより参照信号の電力密度を設定する。これにより、連続度が１未満であるDistributed送信時には、参照信号の時間領域における配置密度を高くすることでチャネル推定精度を向上させることができる。よって、本設定例によれば、Localized送信およびDistributed送信の双方を用いる場合、Distributed送信でもLocalized送信に相当するチャネル推定精度を得ることができる。つまり、送信方法がLocalized送信およびDistributed送信のいずれの場合でも、十分なチャネル推定精度を得ることができる。
【００６０】
さらに、本設定例では、端末は、連続度が１であるLocalized送信時には、参照信号の時間領域における配置密度を増加しないため、参照信号のオーバヘッドを抑えることができる。
【００６１】
なお、本設定例では、設定部１０８および設定部１５７は、図５に示すように、連続度が１の場合の参照信号の時間領域における配置密度をＸに設定し、連続度が１未満の場合の参照信号の時間領域における配置密度をＹに設定する場合について説明した。しかし、本発明では、例えば、設定部１０８および設定部１５７は、連続度が所定の閾値以上の場合の参照信号の時間領域における配置密度を図５に示すＸに設定し、連続度が所定の閾値未満の場合の参照信号の時間領域における配置密度を図５に示すＹに設定してもよい。
【００６２】
また、本設定例では、マッピング部１０９は、参照信号の時間領域における配置密度を高くする際、図５に示すように、参照信号が割り当てられるすべての送信帯域において同一シンボルに参照信号をマッピングする場合（シンボル単位のマッピング）について説明した。しかし、本発明では、マッピング部１０９は、例えば、図６に示すようにサブキャリア毎に異なるシンボルに参照信号をマッピングするサブキャリア単位のマッピングを行ってもよい。すなわち、同一シンボルでは、異なる送信帯域にデータ信号または参照信号がマッピングされる。
【００６３】
＜設定例１−２＞
本設定例では、さらに、設定部１０８および設定部１５７は、参照信号の周波数領域での連続度（割合Ｂ／Ａ）が低いほど参照信号の時間領域における配置密度をより高くする。
【００６４】
例えば、図７に示すように、連続度（割合Ｂ／Ａ）が１である場合、設定部１０８および設定部１５７は、設定例１−１と同様、参照信号の時間領域における配置密度をＸ（例えば、Ｘ＝１／７）に設定する。
【００６５】
一方、連続度（割合Ｂ／Ａ）が１未満である場合、設定部１０８および設定部１５７は、設定例１−１と同様、連続度（割合Ｂ／Ａ）が１である場合よりも参照信号の時間領域における配置密度を高く設定する。例えば、連続度（割合Ｂ／Ａ）が１未満である場合、設定部１０８および設定部１５７は、図７に示すように、参照信号の時間領域における配置密度Ｘよりも高い配置密度Ｙ、または、Ｙ以上の配置密度Ｚを設定する。ここで、設定部１０８および設定部１５７は、連続度（割合Ｂ／Ａ）が低いほど、参照信号の時間領域における配置密度をより高くする。例えば、図７に示すように、１未満の連続度（割合Ｂ／Ａ）のうち、連続度（割合Ｂ／Ａ）が高いほど参照信号の時間領域における配置密度をＹ（例えば、Ｙ＝２／７）に近い値に設定する。また、設定部１０８および設定部１５７は、連続度（割合Ｂ／Ａ）が低いほど参照信号の時間領域における配置密度をＺ（例えば、Ｚ＝３／７）に近い値に設定する。すなわち、連続度（割合Ｂ／Ａ）が１未満の場合、設定部１０８および設定部１５７は、連続度（割合Ｂ／Ａ）に応じて参照信号の時間領域における配置密度をＹ〜Ｚの間のいずれかに設定する。
【００６６】
このように、端末１００は、設定例１−１と同様、連続度（割合Ｂ／Ａ）が１未満（Distributed送信）である時に、連続度が１（Localized送信）である時よりも、参照信号の時間領域における配置密度を高くする。さらに、端末１００は、連続度（割合Ｂ／Ａ）が１未満（Distributed送信）である時には、連続度（割合Ｂ／Ａ）が低いほど、参照信号の時間領域における配置密度をより高くする。これにより、端末１００は、連続度（割合Ｂ／Ａ）が１未満であるDistributed送信時には、連続度（割合Ｂ／Ａ）に応じて参照信号の時間領域における配置密度を設定例１−１よりも細かく設定することができる。すなわち、端末１００では、参照信号の時間領域における配置密度を連続度（割合Ｂ／Ａ）に応じて細かく設定できるため、参照信号の時間領域における配置密度の増加を必要最小限に抑えることができる。
【００６７】
このようにして、本設定例によれば、連続度が１未満であるDistributed送信時における参照信号のオーバヘッドを最小限に抑えつつ、チャネル推定精度を向上させることができる。
【００６８】
＜設定例１−３＞
設定例１−１および設定例１−２では、自端末の参照信号が割り当てられる周波数領域全体を所定の周波数帯域とする場合について説明したが、本設定例では、参照信号の各送信帯域（サブキャリア）を中心とする所定範囲の周波数帯域を所定の周波数帯域とする場合について説明する。
【００６９】
すなわち、本実施の形態では、各送信帯域を中心とする所定範囲の周波数帯域における参照信号の送信帯域の割合を連続度として用いる。そして、例えば、設定部１０８および設定部１５７は、所定の周波数帯域における参照信号の送信帯域の割合（連続度）が閾値未満の場合、参照信号の時間領域における配置密度を高くし、所定の周波数帯域における参照信号の送信帯域の割合（連続度）が閾値以上の場合、参照信号の時間領域における配
置密度を低くする。すなわち、設定部１０８および設定部１５７は、連続度が閾値未満の場合、参照信号の時間領域における数を増加させる一方、連続度が閾値以上の場合、参照信号の時間領域における数を増加しない。
【００７０】
以下、具体的に説明する。ここで、対象の送信帯域（例えば、図８Ａおよび図８Ｂに示す５サブキャリアのうち中央のサブキャリア）の前後２サブキャリアの４サブキャリアを所定範囲の周波数帯域、つまり、所定の周波数帯域とする。また、閾値を１／２とする。また、所定の周波数帯域における参照信号の送信帯域の割合（連続度）が閾値以上の場合の参照信号の時間領域における配置密度を１／７とし、所定の周波数帯域における参照信号の送信帯域の割合（連続度）が閾値未満の場合の参照信号の時間領域における配置密度を２／７とする。
【００７１】
図８Ａの場合、所定の周波数帯域（４サブキャリア）における参照信号の送信帯域（２サブキャリア）の割合（連続度）は１／２（＝２／４）となる。よって、設定部１０８および設定部１５７は、割合（連続度）が閾値以上であるため、参照信号の時間領域における配置密度を１／７に設定する。よって、マッピング部１０９は、対象の送信帯域（図８Ａに示す中央のサブキャリア）では、７シンボルのうち１シンボルに参照信号をマッピングする。
【００７２】
一方、図８Ｂの場合、所定の周波数帯域（４サブキャリア）における参照信号の送信帯域（０サブキャリア）の割合（連続度）は０（＝０／４）となる。よって、設定部１０８および設定部１５７は、割合（連続度）が閾値未満であるため、参照信号の時間領域における配置密度を２／７に設定する。よって、マッピング部１０９は、対象の送信帯域（図８Ｂに示す中央のサブキャリア）では、７シンボルのうち２シンボルに参照信号をマッピングする。
【００７３】
このように、設定部１０８および設定部１５７は、図８Ｂでは、図８Ａよりも、参照信号の時間領域における配置密度を高くする。これにより、図８Ａに示すように、所定の周波数帯域において参照信号の送信帯域が占有する割合が高い場合、対象の送信帯域および所定範囲の周波数帯域のチャネル相関が高くなるため、参照信号の時間領域における配置密度が低くても、十分なチャネル推定精度を得ることができる。これに対し、図８Ｂに示すように、所定の周波数帯域において参照信号の送信帯域が占有する割合が低い場合、対象の送信帯域および所定の周波数帯域のチャネル相関が低くなるものの、参照信号の時間領域における配置密度を高くすることにより、チャネル推定精度を向上させることができる。
【００７４】
このようにして、端末１００は、自端末の参照信号に割り当てられた送信帯域毎の連続度に応じて参照信号の時間領域における配置密度を設定する。これにより、連続度が高い送信帯域では、参照信号の時間領域における配置密度を低くすることで参照信号のオーバヘッドを抑えることができる。また、連続度が低い送信帯域では、参照信号の時間領域における配置密度を高くすることでチャネル推定精度を向上させることができる。
【００７５】
よって、本設定例によれば、各端末が参照信号の送信に用いる送信帯域の位置に基づいて、参照信号の時間領域における配置密度を送信帯域毎に細かく設定することができる。これにより、参照信号のオーバヘッドを最小限に抑えつつ、チャネル推定精度を向上させることができる。
【００７６】
以上、参照信号の時間領域における配置密度の設定例１−１〜１−３について説明した。
【００７７】
このように、本実施の形態によれば、端末は、参照信号の周波数領域での連続度が低いほど、参照信号の時間領域における配置密度（すなわち、参照信号の電力密度）を高く設定する。これにより、参照信号の時間領域における電力密度が高くなるため、周波数領域でのチャネル推定精度の劣化を補償することができる。よって、本実施の形態によれば、Localized送信およびDistributed送信の双方を用いる場合、Distributed送信でもLocalized送信に相当するチャネル推定精度を得ることができる。つまり、Localized送信およびDistributed送信の双方を用いる場合でも、双方の送信方法で十分なチャネル推定精度を得ることができる。
【００７８】
さらに、本実施の形態によれば、連続度が高いほど参照信号の時間領域における配置密度は低くなるため、参照信号のオーバヘッドを抑えることができる。
【００７９】
なお、本実施の形態では、参照信号の周波数領域での連続度が低いほど、参照信号の時間領域における配置密度をより高くするか否かを基地局が選択できるようにしてもよい。例えば、基地局は、連続度が高いLocalized送信では上記実施の形態と同様、配置密度１／７を設定する一方、連続度が低いDistributed送信では配置密度を高くするか（例えば、配置密度２／７）、配置密度を低くするか（例えば、配置密度１／７）を選択してもよい。
【００８０】
また、各端末は他の端末の送信方法（Localized送信およびDistributed送信）を知らない可能性が高い。そのため、参照信号の配置密度を高くする場合、すなわち、参照信号の数を増やす場合、自端末のデータ信号が割り当てられた送信帯域以外の送信帯域に参照信号を追加すると、他の端末のデータ信号または参照信号と衝突する可能性がある。よって、参照信号の配置密度を高くする場合には、本実施の形態で説明したように、端末は、参照信号の時間領域における配置密度を高くすることにより、参照信号をデータ信号の送信帯域と同一周波数帯域に追加することが好ましい。これにより、参照信号を追加する帯域で他の端末の信号と衝突することを回避することができ、さらに、追加した参照信号を通知するためのシグナリングも不要となる。
【００８１】
（実施の形態２）
実施の形態１では、所定の周波数帯域における参照信号の送信帯域の割合を参照信号の周波数領域での連続度とする場合について説明した。これに対し、本実施の形態では、周波数領域で隣接する参照信号間の周波数間隔を参照信号の周波数領域での連続度とする場合について説明する。
【００８２】
例えば、図１Ａに示すように、端末１００の信号がLocalized送信される場合、自端末の参照信号が割り当てられる送信帯域は連続であるため、隣接する参照信号間の周波数間隔は最小値０となる。一方、図１Ｂに示すように、端末１００の信号がDistributed送信される場合、自端末の参照信号が割り当てられる送信帯域において、隣接する参照信号間の周波数間隔は２サブキャリアとなる。すなわち、本実施の形態では、参照信号の周波数領域での連続度は、Localized送信時のように隣接する参照信号間の周波数間隔が最小の場合に最大となる。また、参照信号の周波数領域での連続度は、隣接する参照信号間の周波数間隔が大きくなるほど、より低くなる。
【００８３】
そこで、本実施の形態における端末１００の設定部１０８（図２）および基地局１５０の設定部１５７（図３）は、自端末の参照信号が割り当てられた各送信帯域において、隣接する参照信号間の周波数間隔に応じて、参照信号の時間領域における配置密度を設定する。ここで、設定部１０８および設定部１５７は、隣接する参照信号間の周波数間隔が大きいほど（つまり、連続度が低いほど）、参照信号の時間領域における配置密度をより高くする。また、設定部１０８および設定部１５７は、例えば、隣接する参照信号間の周波
数間隔が閾値以上の場合、参照信号の時間領域における配置密度を高くし、隣接する参照信号間の周波数間隔が閾値未満の場合、参照信号の時間領域における配置密度を低くする。
【００８４】
以下、具体的に説明する。以下の説明では、実施の形態１と同様、１スロットは７つのシンボルから構成される。また、参照信号の時間領域における配置密度は１スロット内の７シンボルにおける参照信号の配置数の割合で表される。また、周波数間隔の閾値を２サブキャリアとする。また、周波数間隔が閾値未満の場合の参照信号の時間領域における配置密度を１／７とし、周波数間隔が閾値以上の場合の参照信号の時間領域における配置密度を２／７とする。
【００８５】
図９Ａの場合、対象の参照信号（図９Ａに示す下から２番目のサブキャリアに割り当てられた参照信号）と対象の参照信号に隣接する参照信号（図９Ａに示す下から４番目のサブキャリアに割り当てられた参照信号）との間の周波数間隔は１サブキャリアとなる。よって、設定部１０８および設定部１５７は、周波数間隔（１サブキャリア）が閾値未満であるため、対象の参照信号の時間領域における配置密度を１／７に設定する。よって、マッピング部１０９は、対象の参照信号が割り当てられた送信帯域（図９Ａに示す下から２番目のサブキャリア）では、７シンボルのうち１シンボルに参照信号をマッピングする。
【００８６】
一方、図９Ｂの場合、対象の参照信号（図９Ｂに示す下から２番目のサブキャリアに割り当てられた参照信号）と対象の参照信号に隣接する参照信号（図９Ａに示す下から５番目のサブキャリアに割り当てられた参照信号）との間の周波数間隔は２サブキャリアとなる。よって、設定部１０８および設定部１５７は、周波数間隔（２サブキャリア）が閾値以上であるため、対象の参照信号の時間領域における配置密度を２／７に設定する。よって、マッピング部１０９は、対象の参照信号が割り当てられた送信帯域（図９Ｂに示す下から２番目のサブキャリア）では、７シンボルのうち２シンボルに参照信号をマッピングする。
【００８７】
図９Ａに示すように、隣接する参照信号間の周波数間隔が小さい場合、チャネル相関が高いため、十分なチャネル推定精度を得ることができ、かつ、参照信号の配置密度を低くすることにより、参照信号のオーバヘッドを抑えることができる。これに対し、図９Ｂに示すように、隣接する参照信号間の周波数間隔が大きい場合、チャネル相関が低くなるものの、参照信号の時間領域における配置密度を高くすることにより、チャネル推定精度を向上させることができる。
【００８８】
よって、隣接する参照信号との周波数間隔が小さい参照信号の送信帯域では、参照信号の時間領域における配置密度を低く抑えることで参照信号のオーバヘッドを抑えることができる。また、隣接する参照信号間との周波数間隔が大きい参照信号の送信帯域では、参照信号の時間領域における配置密度を高くすることでチャネル推定精度を向上させることができる。
【００８９】
このようにして、本実施の形態では、周波数領域で隣接する参照信号間の周波数間隔に応じて、参照信号の時間領域における配置密度を設定する。これにより、実施の形態１の設定例１−３と同様、各端末が参照信号の送信に用いる送信帯域の位置に基づいて、参照信号の時間領域における配置密度を送信帯域毎に細かく設定することができる。これにより、参照信号のオーバヘッドを抑えつつ、チャネル推定精度を向上させることができる。
【００９０】
なお、本実施の形態では、端末は、対象の参照信号と隣接する一方の参照信号との周波数間隔を用いる場合について説明した。しかし、本発明では、端末は、対象の参照信号と隣接する両側の参照信号との周波数間隔の合計を用いてもよい。
【００９１】
（実施の形態３）
実施の形態１および実施の形態２では、参照信号の時間領域における配置密度を設定することで参照信号の電力密度を設定する場合について説明したのに対し、本実施の形態では、参照信号の送信電力を設定することで参照信号の電力密度を設定する。
【００９２】
また、本実施の形態では、実施の形態１と同様、所定の周波数帯域における参照信号の送信帯域の割合を、参照信号の周波数領域での連続度とする。
【００９３】
本実施の形態に係る端末１００の設定部１０８（図２）は、参照信号の周波数領域での連続度に応じて、参照信号の送信電力を設定することにより参照信号の電力密度を設定する。また、設定部１０８は、参照信号の周波数領域での連続度が低いほど、参照信号の送信電力をより大きくする。換言すると、設定部１０８は、参照信号の周波数領域での連続度が低いほど、データ信号および参照信号に分配される総送信電力のうち、参照信号に分配する送信電力の割合を高くする。そして、設定部１０８は、設定した参照信号の送信電力を示す送信電力情報をマッピング部１０９に出力する。
【００９４】
マッピング部１０９は、設定部１０８から入力される送信電力情報に従って電力を調整しながら、ＦＦＴ部１０７から入力される信号、および、送信電力情報に示された送信電力を有する参照信号を時間領域および周波数領域のリソースにマッピングする。
【００９５】
一方、本実施の形態に係る基地局１５０の設定部１５７（図３）は、設定部１０８（図２）と同様にして、参照信号の周波数領域での連続度に応じて、参照信号の送信電力を設定することにより参照信号の電力密度を設定する。また、設定部１５７は、設定部１０８と同様、参照信号の周波数領域での連続度が低いほど、参照信号の送信電力をより大きくする。そして、設定部１５７は、設定した参照信号の送信電力を示す送信電力情報をデマッピング部１５８に出力する。
【００９６】
デマッピング部１５８は、設定部１５７から入力される送信電力情報に従って電力を調整しながら、ＤＦＴ部１５６から入力される周波数領域の信号からデータ信号および参照信号を抽出する。
【００９７】
次に、本実施の形態における設定部１０８および設定部１５７における参照信号の送信電力の設定例について説明する。
【００９８】
以下の説明では、図１０に示すように１スロット（７シンボル）はデータ信号の６シンボルと参照信号の１シンボルとから構成される。また、図１０に示すように、端末１００では、１スロット（７シンボル）あたりの送信電力を一定（すなわち、１スロットあたりの送信電力＝平均送信電力×７シンボル）とし、送信電力は各シンボルに分配される。
【００９９】
また、以下の説明では、参照信号の送信電力をデータ信号の送信電力と同じ大きさにした場合には、自端末が隣接セルから受ける干渉が大きくなり、参照信号の送信電力をデータ信号の送信電力よりも大きくした場合には、自端末が隣接セルへ与える干渉が大きくなる。
【０１００】
上述した図１Ｂに示すように、参照信号の周波数領域での連続度が低くなるほどチャネル推定値のチャネル相関が低くなり、チャネル推定精度が劣化し、受信品質が劣化する。一方、データ信号は、図１Ｂに示すように、周波数領域での間隔が大きくなるほど、周波数ダイバーシチ効果を得ることができるため、受信品質が向上する。よって、図１Ｂに示すように、自端末のデータ信号および参照信号が割り当てられる送信帯域の周波数領域で
の間隔が大きくなる場合、つまり、参照信号の周波数領域での連続度が低くなる場合には、データ信号の送信電力を大きくするよりも、参照信号の送信電力を大きくする方が受信品質の改善効果はより大きい。
【０１０１】
そこで、本実施の形態では、設定部１０８および設定部１５７は、参照信号の周波数領域での連続度に応じて、参照信号の送信電力を設定する。
【０１０２】
＜設定例３−１＞
本設定例では、設定部１０８および設定部１５７は、参照信号の周波数領域での連続度が１未満である時に、参照信号の周波数領域での連続度が１である時よりも、参照信号の送信電力を大きくする。
【０１０３】
すなわち、実施の形態１の設定例１−１と同様にして、設定部１０８および設定部１５７は、図１Ｂに示すように連続度（割合Ｂ／Ａ）が１未満であるDistributed送信時に、図１Ａに示すように連続度（割合Ｂ／Ａ）が最大値１であるLocalized送信時よりも、参照信号の送信電力を大きくする。例えば、図１１に示すように、連続度（割合Ｂ／Ａ）が１であるLocalized送信時では、設定部１０８および設定部１５７は、参照信号の送信電力をＸに設定する。ここで、送信電力Ｘは、例えば、データ信号と同じ送信電力とする。一方、連続度（割合Ｂ／Ａ）が１未満であるDistributed送信時では、設定部１０８および設定部１５７は、参照信号の送信電力を送信電力Ｘより大きいＹに設定する。
【０１０４】
これにより、Distributed送信では、連続度が低く、参照信号に割り当てられた各送信帯域のチャネル相関が低い場合でも、設定例１−１と同様、参照信号の電力密度を高くすることにより、自端末のチャネル推定精度を向上させることができる。換言すると、Distributed送信では、参照信号の電力密度を高くすることにより、周波数領域での低いチャネル相関によるチャネル推定精度の劣化を補償することができる。一方、Localized送信では、参照信号の送信電力をデータ信号の送信電力と同じ大きさにするため、隣接セルからの干渉が大きくなるものの、参照信号が割り当てられた各送信帯域のチャネル相関が高いため、十分なチャネル推定精度を得ることができる。よって、Localized送信では、参照信号の送信電力を小さくすることにより、他セルへの干渉を抑えることができ、他セルに位置する他端末のチャネル推定精度の劣化を防ぐことができる。
【０１０５】
このように、本設定例によれば、端末は、参照信号の周波数領域での連続度に応じて、参照信号の送信電力を設定することにより参照信号の電力密度を設定する。これにより、連続度が１未満であるDistributed送信時には、参照信号の送信電力を大きくすることで自端末のチャネル推定精度を向上させることができる。よって、本設定例によれば、Localized送信およびDistributed送信の双方を用いる場合、Distributed送信でもLocalized送信に相当するチャネル推定精度を得ることができる。つまり、送信方法がLocalized送信およびDistributed送信のいずれの場合でも、十分なチャネル推定精度を得ることができる。
【０１０６】
さらに、本設定例では、端末は連続度が１であるLocalized送信時には、参照信号の送信電力を大きくしない。これにより、自端末の参照信号が他セルに与える干渉を抑えることができる。すなわち、本設定例によれば、連続度が１であるLocalized送信時には、他セルに位置する他端末のチャネル推定精度の劣化を防ぐことができる。
【０１０７】
なお、本設定例では、設定部１０８および設定部１５７は、図１１に示すように、連続度が１の場合、送信電力Ｘを設定し、連続度が１未満の場合、送信電力Ｙを設定する場合について説明した。しかし、本発明では、例えば、設定部１０８および設定部１５７は、連続度が所定の閾値以上の場合の参照信号の送信電力を図１１に示すＸに設定し、連続度
が所定の閾値未満の場合の参照信号の送信電力を図１１に示すＹに設定してもよい。
【０１０８】
＜設定例３−２＞
本設定例では、さらに、設定部１０８および設定部１５７は、参照信号の周波数領域での連続度（割合Ｂ／Ａ）が低いほど参照信号の送信電力をより大きくする。
【０１０９】
例えば、図１２に示すように、連続度（割合Ｂ／Ａ）が１である場合、設定部１０８および設定部１５７は、設定例３−１と同様、参照信号の送信電力をＸ（例えば、データ信号と同じ送信電力）に設定する。
【０１１０】
一方、連続度（割合Ｂ／Ａ）が１未満である場合、設定部１０８および設定部１５７は、連続度（割合Ｂ／Ａ）が１である場合よりも参照信号の送信電力を大きくする。例えば、連続度（割合Ｂ／Ａ）が１未満である場合、設定部１０８および設定部１５７は、図１１に示すように、参照信号の送信電力Ｘよりも大きい送信電力Ｙ、または、Ｙ以上の送信電力Ｚを設定する。ここで、設定部１０８および設定部１５７は、連続度（割合Ｂ／Ａ）が低いほど、参照信号の送信電力をより大きくする。例えば、図１２に示すように、１未満の連続度（割合Ｂ／Ａ）のうち、連続度（割合Ｂ／Ａ）が高いほど参照信号の送信電力をＹに近い値に設定する。また、設定部１０８および設定部１５７は、連続度（割合Ｂ／Ａ）が低いほど参照信号の送信電力をＺに近い値に設定する。すなわち、連続度（割合Ｂ／Ａ）が１未満の場合、設定部１０８および設定部１５７は、連続度（割合Ｂ／Ａ）に応じて参照信号の送信電力をＹ〜Ｚの間のいずれかに設定する。
【０１１１】
これにより、端末１００は、設定例３−１と同様、連続度（割合Ｂ／Ａ）が１未満（Distributed送信）である時に、連続度（割合Ｂ／Ａ）が１（Localized送信）である時よりも、参照信号の送信電力を大きくする。さらに、端末１００は、連続度（割合Ｂ／Ａ）が１未満（Distributed送信）である時には、連続度（割合Ｂ／Ａ）が低いほど、参照信号の送信電力をより大きくする。これにより、端末１００は、連続度（割合Ｂ／Ａ）が１未満であるDistributed送信時には、連続度（割合Ｂ／Ａ）に応じて参照信号の送信電力を設定例３−１よりも細かく設定することができる。すなわち、端末１００では、参照信号の送信電力を連続度（割合Ｂ／Ａ）に応じて細かく設定できるため、参照信号の送信電力の増加を抑えることができる。
【０１１２】
このようにして、本設定例によれば、連続度が１未満であるDistributed送信時における他セルへの干渉を抑えつつ、自端末のチャネル推定精度を向上させることができる。
【０１１３】
＜設定例３−３＞
本設定例では、実施の形態１の設定例１−３と同様、参照信号の各送信帯域（サブキャリア）を中心とする所定範囲の周波数帯域を所定の周波数帯域とする場合について説明する。
【０１１４】
すなわち、本実施の形態では、各送信帯域を中心とする所定範囲の周波数帯域における参照信号の送信帯域の割合を連続度として用いる。そして、例えば、設定部１０８および設定部１５７は、所定の周波数帯域における参照信号の送信帯域の割合（連続度）が閾値未満の場合、参照信号の送信電力を大きくし、所定の周波数帯域における参照信号の送信帯域の割合（連続度）が閾値以上の場合、参照信号の送信電力をデータ信号と同じ大きさにする。
【０１１５】
以下、具体的に説明する。ここでは、実施の形態１の設定例１−３と同様、対象の送信帯域（例えば、図１３Ａおよび図１３Ｂに示す５サブキャリアのうち中央のサブキャリア）の前後２サブキャリアの４サブキャリアを所定範囲の周波数帯域、つまり、所定の周波
数帯域とする。また、閾値を１／２とする。
【０１１６】
図１３Ａ左側に示すように、所定の周波数帯域（４サブキャリア）における参照信号の送信帯域（２サブキャリア）の割合（連続度）は１／２（＝２／４）となる。よって、設定部１０８および設定部１５７は、割合（連続度）が閾値以上であるため、図１３Ａ右側に示すように、対象の送信帯域における参照信号の送信電力をデータ信号と同じ送信電力に設定する。
【０１１７】
一方、図１３Ｂ左側に示すように、所定の周波数帯域（４サブキャリア）における参照信号の送信帯域（０サブキャリア）の割合（連続度）は０（＝０／４）となる。よって、設定部１０８および設定部１５７は、割合（連続度）が閾値未満であるため、図１３Ｂ右側に示すように、対象の送信帯域における参照信号の送信電力を図１３Ａの場合よりも大きい送信電力、すなわち、データ信号の送信電力よりも大きい送信電力に設定する。
【０１１８】
これにより、図１３Ａに示すように、所定の周波数帯域において参照信号の送信帯域が占有する割合が高い場合、対象の送信帯域および所定範囲の周波数帯域ではチャネル相関が高くなるため、参照信号の送信電力を大きくしなくても十分なチャネル推定精度を得ることができる。これに対し、図１３Ｂに示すように、所定の周波数帯域において参照信号の送信帯域が占有する割合が低い場合、対象の送信帯域および所定範囲の周波数帯域ではチャネル相関が低くなるものの、参照信号の送信電力を大きくすることにより、チャネル推定精度を向上させることができる。
【０１１９】
このようにして、端末１００は、自端末の参照信号に割り当てられた送信帯域毎の連続度に応じて参照信号の送信電力を設定する。これにより、連続度が低い送信帯域では、参照信号の送信電力を高くすることで自端末のチャネル推定精度を向上させることができる。また、連続度が高い送信帯域では、参照信号の送信電力を小さくすることで他セルへの干渉を抑えることができる。
【０１２０】
よって、本設定例によれば、各端末が参照信号の送信に用いる送信帯域の位置に基づいて、参照信号の送信電力を送信帯域毎に細かく設定することができる。これにより、他セルへの干渉を抑えつつ、自端末のチャネル推定精度を向上させることができる。
【０１２１】
以上、参照信号の送信電力の設定例３−１〜３−３について説明した。
【０１２２】
このように、本実施の形態によれば、端末は、参照信号の周波数領域での連続度が低いほど、参照信号の送信電力を大きくする。これにより、参照信号の電力密度が高くなるため、周波数領域でのチャネル推定精度の劣化を補償することができる。よって、本実施の形態によれば、Localized送信およびDistributed送信の双方を用いる場合、Distributed送信でもLocalized送信に相当するチャネル推定精度を得ることができる。つまり、Localized送信およびDistributed送信の双方を用いる場合、双方の送信方法で十分なチャネル推定精度を得ることができる。
【０１２３】
さらに、本実施の形態によれば、連続度が高いほど参照信号の送信電力は小さくなるため、他セルへの干渉を抑えることができる。
【０１２４】
なお、本実施の形態では、参照信号の周波数領域での連続度が低いほど、参照信号の送信電力をより大きくするか否かを基地局が選択できるようにしてもよい。例えば、基地局は、連続度が高いLocalized送信では上記実施の形態と同様、参照信号の送信電力をデータ信号の送信電力と同一に設定する一方、連続度が低いDistributed送信では参照信号の送信電力をデータ信号の送信電力よりも高くするか否かを選択してもよい。
【０１２５】
（実施の形態４）
本実施の形態では、実施の形態２と同様、周波数領域で隣接する参照信号間の周波数間隔を参照信号の周波数領域での連続度とし、かつ、実施の形態３と同様、参照信号の送信電力を設定することにより参照信号の電力密度を設定する場合について説明する。
【０１２６】
すなわち、本実施の形態における端末１００の設定部１０８（図２）および基地局１５０の設定部１５７（図３）は、実施の形態２と同様にして、自端末の参照信号が割り当てられた各送信帯域において、隣接する参照信号間の周波数間隔に応じて、参照信号の送信電力を設定する。ここで、設定部１０８および設定部１５７は、隣接する参照信号間の周波数間隔が大きいほど（つまり、連続度が低いほど）、参照信号の送信電力をより大きくする。また、設定部１０８および設定部１５７は、例えば、隣接する参照信号間の周波数間隔が閾値以上の場合、参照信号の送信電力を大きくし、隣接する参照信号間の周波数間隔が閾値未満の場合、参照信号の送信電力をデータ信号の送信電力と同じ送信電力にする。
【０１２７】
以下、具体的に説明する。以下の説明では、実施の形態３と同様、図１０に示すように１スロット（７シンボル）はデータ信号の６シンボルと参照信号の１シンボルとから構成される。また、図１０に示すように、端末１００では、１スロット（７シンボル）あたりの送信電力を一定とし、送信電力は各シンボルに分配される。また、周波数間隔の閾値を２サブキャリアとする。
【０１２８】
図１４Ａの場合、対象の参照信号（図１４Ａ左側に示す下から２番目のサブキャリアに割り当てられた参照信号）と対象の参照信号に隣接する参照信号（図１４Ａ左側に示す下から４番目のサブキャリアに割り当てられた参照信号）との間の周波数間隔は１サブキャリアとなる。よって、設定部１０８および設定部１５７は、周波数間隔（１サブキャリア）が閾値未満であるため、図１４Ａ右側に示すように、対象の参照信号の送信電力をデータ信号と同じ送信電力に設定する。
【０１２９】
一方、図１４Ｂの場合、対象の参照信号（図１４Ｂ左側に示す下から２番目のサブキャリアに割り当てられた参照信号）と対象の参照信号に隣接する参照信号（図１４Ｂ左側に示す下から５番目のサブキャリアに割り当てられた参照信号）との間の周波数間隔は２サブキャリアとなる。よって、設定部１０８および設定部１５７は、周波数間隔（２サブキャリア）が閾値以上であるため、図１４Ｂ右側に示すように、対象の参照信号の送信電力を図１４Ａよりも大きい送信電力、すなわち、データ信号の送信電力よりも大きい送信電力に設定する。
【０１３０】
図１４Ａに示すように、隣接する参照信号間の周波数間隔が小さい場合、チャネル相関が高いため、十分なチャネル推定精度を得ることができ、かつ、参照信号の送信電力を小さくすることにより、他セルへの干渉を抑えることができる。これに対し、図１４Ｂに示すように、隣接する参照信号間の周波数間隔が大きい場合、チャネル相関が低くなるものの、参照信号の送信電力を大きくすることにより、チャネル推定精度を向上させることができる。
【０１３１】
よって、隣接する参照信号との周波数間隔が小さい参照信号の送信帯域では、参照信号の送信電力を小さくすることで他セルへの干渉を抑えることができる。また、隣接する参照信号との周波数間隔が大きい参照信号の送信帯域では、参照信号の送信電力を大きくすることでチャネル推定精度を向上させることができる。
【０１３２】
このようにして、本実施の形態では、実施の形態２と同様、各端末が参照信号の送信に
用いる送信帯域の位置に基づいて、参照信号の送信電力を送信帯域毎に細かく設定することができる。これにより、他セルへの干渉を最小限に抑えつつ、チャネル推定精度を向上させることができる。
【０１３３】
なお、本実施の形態では、端末は、対象の参照信号と隣接する一方の参照信号との周波数間隔を用いる場合について説明した。しかし、本発明では、端末は、対象の参照信号と隣接する両側の参照信号との周波数間隔の合計を用いてもよい。
【０１３４】
以上、本発明の各実施の形態について説明した。
【０１３５】
なお、上記実施の形態では、例えば、図４Ａおよび図４Ｂに示すように、参照信号の配置密度として、時間領域における配置密度について説明した。しかし、本発明では、参照信号の配置密度を、周波数領域および時間領域の２次元における配置密度にしてもよい。また、参照信号の配置密度は、周波数領域および時間領域における配置密度に限らず、例えば、時間領域および空間領域における配置密度としてもよい。また、参照信号の配置密度は、周波数領域および時間領域の２次元における配置密度に限らず、周波数領域および時間領域に加え、空間領域を含む３次元における配置密度としてもよい。
【０１３６】
また、上記実施の形態では、例えば、図４Ｂに示すように、参照信号の送信帯域を１サブキャリア毎に分散させる場合について説明した。しかし、本発明では、数サブキャリア（例えば、１２サブキャリア）だけ連続する参照信号の送信帯域を１つのグループとし、各グループを広い帯域に分散させてもよい。また、上記実施の形態では、図４Ｂに示すように、参照信号の送信帯域を等間隔（図４Ｂでは２サブキャリア間隔）で分散させる場合について説明した。しかし、本発明では、参照信号の送信帯域の間隔は等間隔でなくてもよい。
【０１３７】
また、上記実施の形態では、１スロット内のシンボル（例えば、７シンボル）における参照信号の配置数の割合を参照信号の時間領域における配置密度とする場合について説明した。しかし、本発明では、例えば、１スロット内のデータ信号に対する参照信号の配置数の割合を参照信号の時間領域における配置密度としてもよい。例えば、１スロット内の７シンボルのうち、データ信号が６シンボルであり、参照信号が１シンボルである場合、参照信号の時間領域における配置密度は１／６となる。また、例えば、１スロット内の７シンボルのうち、データ信号が５シンボルであり、参照信号が２シンボルである場合、参照信号の時間領域における配置密度は２／５となる。
【０１３８】
また、上記実施の形態では、本発明をLocalized送信およびDistributed送信に適用する場合を一例として説明した。しかし、本発明では、Localized送信の代わりにＳＣ−ＦＤＭＡ（Single Carrier-Frequency Division Multiplexing Access）伝送を適用し、Distributed送信の代わりにＯＦＤＭＡ（Orthogonal Frequency Division Multiplexing Access）を適用してもよい。または、本発明をLocalized送信およびDistributed送信の双方が混在するＯＦＤＭＡ伝送に適用してもよい。また、例えば、Localized送信の代わりに基地局（ｅＮＢ）と中継局（ＲＳ）との間の送信を適用し、Distributed送信の代わりに中継局（ＲＳ）と端末（ＵＥ）との間の送信を適用してもよい。一般に、中継局（ＲＳ）と端末（ＵＥ）との間の受信特性は、基地局（ｅＮＢ）と中継局（ＲＳ）との間の受信特性よりも劣悪である。そこで、本発明を適用することにより、中継局（ＲＳ）と端末（ＵＥ）との間の送信時に参照信号の配置密度が多くなるため、チャネル推定精度を向上させることができ、受信特性を改善することができる。
【０１３９】
また、本発明では、端末および基地局は、参照信号の周波数領域での連続度と参照信号の電力密度との複数の対応付けからなる設定パターンを示すテーブルを保持してもよい。
例えば、参照信号の電力密度として参照信号の時間領域における配置密度を用いる場合には、図１５に示すテーブルを用いる。ここで、図１５に示す配置密度は、１スロット内のシンボルにおける参照信号の配置数の割合を示す。図１５に示すように、パターン＃１〜＃３毎に参照信号の時間領域における配置密度が異なる。具体的には、パターン＃１が示す配置密度が最も低く、パターン＃３に示す配置密度が最も高い。また、各パターンでは、Distributed送信時の参照信号の時間領域における配置密度は、Localized送信時の参照信号の時間領域における配置密度よりも高く設定されている。
【０１４０】
また、例えば、参照信号の電力密度として参照信号の送信電力を用いる場合には、図１６に示すテーブルを用いる。ここで、図１６に示す参照信号の送信電力は、データ信号の送信電力に対する増加の割合を示す。図１６に示すように、パターン＃１〜＃３毎に参照信号の送信電力が異なる。具体的には、パターン＃１が示す送信電力が最も小さく、パターン＃３に示す送信電力が最も大きい。また、各パターンでは、Distributed送信時の参照信号の送信電力は、Localized送信時の参照信号の送信電力よりも大きく設定されている。
【０１４１】
そして、基地局は、図１５または図１６において、複数の対応付け（パターン＃１〜＃３）のうちいずれかを選択し、選択したパターンを端末に通知する。そして、端末は、基地局から通知されたパターンを受信し、その設定パターン情報および送信方法（Localized送信またはDistributed送信）を示す情報に基づいてテーブルを参照して、参照信号の電力密度を設定する。これにより、基地局では、参照信号の電力密度（参照信号の時間領域における配置密度または参照信号の送信電力）を、例えば、伝搬環境の変動に応じて柔軟に変更することができ、上記実施の形態と同様、参照信号のオーバヘッドまたは他セルへの干渉を抑えつつ、チャネル推定精度を向上させることができる。
【０１４２】
また、上記実施の形態では、端末から基地局への上り回線においてデータおよび参照信号を送信する例を挙げたが、基地局から端末への下り回線における送信の場合でも同様に適用できる。
【０１４３】
また、参照信号がＺＣ（Zadoff Chu）系列である場合に本発明を適用してもよい。この場合、不連続（すなわち、連続度が１未満）である送信帯域に参照信号が割り当てられるDistributed送信では、連続（すなわち、連続度が１）である送信帯域に参照信号が割り当てられるLocalized送信と比較してＺＣ系列の干渉除去効果が極端に低下する。そのため、参照信号がＺＣ系列である場合に本発明を適用することも効果的である。
【０１４４】
また、上記各実施の形態では、本発明をハードウェアで構成する場合を例にとって説明したが、本発明はソフトウェアで実現することも可能である。
【０１４５】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１４６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１４７】
さらには、半導体技術の進歩または派生する別技術によりＬＳＩに置き換わる集積回路化の技術が登場すれば、当然、その技術を用いて機能ブロックの集積化を行ってもよい。
バイオ技術の適用等が可能性としてありえる。
【０１４８】
２００８年８月５日出願の特願２００８−２０２０９８の日本出願に含まれる明細書、図面および要約書の開示内容は、すべて本願に援用される。
【産業上の利用可能性】
【０１４９】
本発明は、移動体通信システム等に適用することができる。
【手続補正２】
【補正対象書類名】特許請求の範囲
【補正対象項目名】全文
【補正方法】変更
【補正の内容】
【特許請求の範囲】
【請求項１】
参照信号の周波数領域での連続度に応じて、参照信号の電力密度を設定する設定手段と、
前記電力密度を有する参照信号を送信する送信手段と、を具備し、
前記設定手段は、前記連続度が低いほど前記電力密度をより高くする、
を具備する無線通信装置。
【請求項２】
前記設定手段は、
参照信号の時間領域における配置密度を設定することにより前記電力密度を設定し、
前記連続度が低いほど前記配置密度をより高くする、
請求項１記載の無線通信装置。
【請求項３】
前記設定手段は、
参照信号の送信電力を設定することにより前記電力密度を設定し、
前記連続度が低いほど前記送信電力をより大きくする、
請求項１記載の無線通信装置。
【請求項４】
前記設定手段は、
所定の周波数帯域における参照信号の送信帯域の割合を前記連続度として用い、
前記割合が小さいほど前記電力密度をより高くする、
請求項１記載の無線通信装置。
【請求項５】
前記設定手段は、
隣接する参照信号間の周波数間隔を前記連続度として用い、
前記周波数間隔が大きいほど前記電力密度をより高くする、
請求項１記載の無線通信装置。
【請求項６】
前記設定手段は、
前記連続度が１未満である時に、前記連続度が１である時よりも、前記電力密度を高くする、
請求項１記載の無線通信装置。
【請求項７】
前記連続度と前記電力密度との複数の対応付けからなる設定パターンを受信する受信手段、をさらに具備し、
前記設定手段は、前記設定パターンに基づいて前記電力密度を設定する、
請求項１記載の無線通信装置。
【請求項８】
参照信号の周波数領域での連続度に応じて、参照信号の電力密度を設定する電力密度設定方法において、
前記連続度が低いほど前記電力密度をより高くする、
電力密度設定方法。
【手続補正３】
【補正対象書類名】図面
【補正対象項目名】全図
【補正方法】変更
【補正の内容】
【図１Ａ】
2010016240.tif 000025
【図１Ｂ】
2010016240.tif 000026
【図２】
2010016240.tif 000027
【図３】
2010016240.tif 000028
【図４Ａ】
2010016240.tif 000029
【図４Ｂ】
2010016240.tif 000030
【図５】
2010016240.tif 000031
【図６】
2010016240.tif 000032
【図７】
2010016240.tif 000033
【図８Ａ】
2010016240.tif 000034
【図８Ｂ】
2010016240.tif 000035
【図９Ａ】
2010016240.tif 000036
【図９Ｂ】
2010016240.tif 000037
【図１０】
2010016240.tif 000038
【図１１】
2010016240.tif 000039
【図１２】
2010016240.tif 000040
【図１３Ａ】
2010016240.tif 000041
【図１３Ｂ】
2010016240.tif 000042
【図１４Ａ】
2010016240.tif 000043
【図１４Ｂ】
2010016240.tif 000044
【図１５】
2010016240.tif 000045
【図１６】
2010016240.tif 000046
【国際調査報告】
2010016240.tif 000047
2010016240.tif 000048
2010016240.tif 000049
2010016240.tif 000050